(57)【要約】【課題】夜間に水を含んだ吸水部材が昼間に太陽光により水蒸気を放出し、放出した水蒸気が冷却されて液滴化するという作用を実現する技術において、水蒸気を含んだ空気を移動させるための送風機を必須としない構成を実現する。【解決手段】水滴捕集装置１が、開閉する透光性のケーシング１０と、ケーシング１０内に設けられた吸水部材２３とを備える。ケーシング１０内では、吸水部材２３に対して日向側にある第１の空間４１と吸水部材２３に対して日陰側にある第２の空間４２とが連通している。そして夜間にケーシング１０が開き、吸水部材２３が大気中の水蒸気を吸収し、また昼間にケーシング１０が閉じ、太陽光が当たっているときに吸水部材２３はケーシング１０内に水蒸気を放出し、水蒸気を含んだ空気は、第１の空間４１から日陰側の第２の空間４２に移動して冷やされ、それによって、冷やされた空気中の水蒸気が液滴化する。【選択図】図１
2010125345.tif 000002
【特許請求の範囲】
【請求項１】
開閉する透光性のケーシング（１０）と、
前記ケーシング（１０）内に設けられ、周囲の空気の相対湿度が高いほど水蒸気の吸収量が多くなる吸水部材（２３）と、
前記ケーシング（１０）内に液滴化した水を捕集する貯蔵槽（５０）と、を備えた水滴捕集装置であって、
前記ケーシング（１０）内において、前記吸水部材（２３）に対して第１の側にある第１の空間（４１）と前記吸水部材（２３）に対して前記第１の側とは反対側の第２の側にある第２の空間（４２）とは、連通しており、
前記ケーシング（１０）が開いているときに、前記吸水部材（２３）は、大気中の水蒸気を吸収し、
前記ケーシング（１０）が閉じて前記第１の側から前記吸水部材（２３）に太陽光が当たっているときに、前記吸水部材（２３）は、吸収していた水を前記ケーシング（１０）内の空気に水蒸気として放出し、前記水蒸気を含んだ空気は、前記第１の空間（４１）から日陰側の前記第２の空間（４２）に移動して冷やされ、それによって、冷やされた空気中の前記水蒸気が、前記第２の空間（４２）における前記ケーシング（１０）の内面において液滴化することを特徴とする水滴捕集装置。
【請求項２】
前記ケーシング（１０）は、閉じたときに空気を閉じ込める構造となっていることを特徴とする請求項１に記載の水滴捕集装置。
【請求項３】
前記ケーシング（１０）は、当該ケーシング（１０）の外形を構成する骨格（１６）と、当該ケーシング（１０）の壁を構成する透光性のあるフィルム（１４〜１６）とを有し、
前記フィルム（１４〜１６）は、二重以上に重なったフィルムであることを特徴とする請求項１または２に記載の水滴捕集装置。
【請求項４】
前記フィルム（１４〜１６）のうち少なくとも一部（１６）が移動することで、前記ケーシング（１０）が開閉し、
前記一部（１６）には、前記一部（１６）の移動方向に延びる骨部材（７３）が取り付けられており、
前記骨部材（７３）は、所定の形状が前記移動方向に繰り返す螺旋構造になっており、前記所定の形状の大きさは、前記一部（１６）の一端から遠ざかるにつれて段階的に大きくなっていき、その後前記一部（１６）の他端に近づくにつれて段階的に小さくなっていくことを特徴とする請求項１ないし３のいずれか１つに記載の水滴捕集装置。
【請求項５】
請求項１ないし４のいずれか１つに記載の水滴捕集装置を設置する方法であって、前記ケーシング（１０）内の前記第１の空間（４１）から前記吸水部材（２３）に太陽が当たるよう、前記水滴捕集装置を設置することを特徴とする方法。
【請求項６】
前記水滴捕集装置を設置する場所における夏至の南中高度に基づいて、前記吸水部材（２３）の設置角度を決定することを特徴とする請求項５に記載の方法。
【発明の詳細な説明】
【技術分野】
【０００１】
本発明は、水滴捕集装置および水滴捕集装置の設置方法に関するものである。
【背景技術】
【０００２】
従来、大気中の水蒸気を捕集するための技術として、特許文献１に記載のような技術が知られている。特許文献１においては、地上の水蒸気吸脱着部と地中の凝縮部とを連通させ、シリカゲルを水蒸気吸脱着部に配置している（特許文献１の図１参照）。
【０００３】
そして、夜間においては、水蒸気吸脱着部に設けられた換気口から自然に高湿度の外気が流入し、シリカゲルがこの流入した外気中の水蒸気を吸う。そして、昼間になると、水蒸気吸脱着部内に太陽光が射し込み、この太陽光によって水蒸気吸脱着部が熱せられ、温度が上がると共に相対湿度が下がる。すると、シリカゲルから水蒸気が放出され、水蒸気吸脱着部中の空気が水蒸気を豊富に含むようになる。このとき、ファン等の送風機が作動することで、水蒸気吸脱着部の空気が凝縮部に移動して冷却されることで、水蒸気が液滴化する。液滴化した水は、貯水部に集められる。
【０００４】
このように、特許文献１の技術では、夜間に水を含んだシリカゲルが昼間に太陽光により水蒸気を放出し、放出した水蒸気がファンによって地中に運ばれることで液滴化するようになっている。
【特許文献１】特開２００６−１３０４４７号公報
【発明の開示】
【発明が解決しようとする課題】
【０００５】
しかし、従来の技術では、水蒸気を多量に含んだ空気を冷やすために、空気を能動的に移動させるための送風機が必須となる。
【０００６】
そこで、本願発明は、夜間に水を含んだ吸水部材（例えばシリカゲル）が昼間に太陽光により水蒸気を放出し、放出した水蒸気が冷却されて液滴化するという作用を実現する技術において、水蒸気を含んだ空気を移動させるための送風機を必須としない構成を実現することを目的とする。
【課題を解決するための手段】
【０００７】
上記目的を達成するための請求項１に記載の発明は、開閉する透光性のケーシング（１０）と、ケーシング（１０）内に設けられ、周囲の空気の相対湿度が高いほど水蒸気の吸収量が多くなる吸水部材（２３）と、ケーシング（１０）内に液滴化した水を捕集する貯蔵槽（５０）と、を備えた水滴捕集装置であって、ケーシング（１０）内において、吸水部材（２３）に対して第１の側にある第１の空間（４１）と吸水部材（２３）に対して第１の側とは反対側の第２の側にある第２の空間（４２）とは、連通しており、ケーシング（１０）が開いているときに、吸水部材（２３）は、大気中の水蒸気を吸収し、ケーシング（１０）が閉じて上記第１の側から吸水部材（２３）に太陽光が当たっているときに、吸水部材（２３）は、吸収していた水をケーシング（１０）内の空気に水蒸気として放出し、水蒸気を含んだ空気は、上記第１の空間（４１）から日陰側の上記第２の空間（４２）に移動して冷やされ、それによって、冷やされた空気中の水蒸気が、第２の空間（４２）におけるケーシング（１０）の内面において液滴化することを特徴とする。
【０００８】
このように、請求項１に記載の発明においては、吸水部材（２３）に対して太陽光の当たる日向側にある第１の空間（４１）と、吸水部材（２３）に対して太陽光の当たらない日陰側にある第２の空間（４２）と、が連通しているので、第１の空間（４１）と第２の空間（４２）との温度差を利用して、水蒸気を液滴化することができる。
【０００９】
すなわち、吸水部材（２３）およびその周囲の空気が太陽光を受けて高温になることで、吸水部材（２３）から水蒸気が放出され、その水蒸気を含んだ空気が、第１の空間（４１）に上昇し、さらに、第１の空間（４１）において温度が低下して、第２の空間（４２）に移動できる。そして、日陰となっている第２の空間（４２）において空気が冷却され、水蒸気が液滴化して捕集される。
【００１０】
なお、第１の空間（４１）において空気の温度が低下するのは、日向側であっても、ケーシング（１０）の端部は外気からの熱伝導により、直射日光を受ける吸水部材（２３）の周囲に比べて温度が低くなるからである。
【００１１】
このように、第１の空間（４１）と第２の空間（４２）とが連通しているので、ケーシング（１０）の吸水部材（２３）付近の温度と端部との温度差、および、第１の空間（４１）と第２の空間（４２）との温度差により、第１の空間（４１）から第２の空間（４２）への自然な空気の流れが発生する。したがって、水蒸気を含んだ空気を低温の場所に移動させるための送風機を必須とせず、大気から水を捕集することができる。
【００１２】
なお、本発明の特徴は、あくまでも、送風機を「必須としない」ような構造を水滴捕集装置が有している点であり、送風機を「排除」することを特徴としているのではない。したがって、本発明においては、上記のような構造を有している水滴捕集装置であれば、送風機を補助的に利用してもよいし、利用しなくてもよい。
【００１３】
また、請求項２に記載のように、ケーシング（１０）は、閉じたときに空気を閉じ込める構造となっていてもよい。このようになっていることで、ケーシング（１０）内に閉じ込められた空気は、太陽光を受けて温度が上昇し、第２の空間（４２）で冷やされて液滴を放出するというサイクルを繰り返す。そして、時間の経過とともにケーシング（１０）の周囲の大気温度が低下すると、それに応じてケーシング（１０）内に閉じ込められた空気の温度も低下するので、さらに液滴化が進む。
【００１４】
このように、ケーシング１０内に空気を閉じ込めることで、ケーシング１０内における位置による温度差、時間による温度差を利用して２段階で液滴化することで、吸水部材（２３）が捕集した水蒸気のほとんどを効率よく、液滴にすることができる。
【００１５】
また、請求項３に記載のように、ケーシング（１０）は、当該ケーシング（１０）の外形を構成する骨格（１６）と、当該ケーシング（１０）の壁を構成する透光性のあるフィルム（１４〜１６）とを有し、フィルム（１４〜１６）は、二重以上に重なったフィルムであってもよい。
【００１６】
このように、ケーシング（１０）の壁となるフィルム（１４〜１６）が二重フィルムとなっていることで、ケーシング（１０）の内部と外部との間の断熱性が高まり、太陽光を受けた際の吸水部材（２３）の温度がより上昇し易くなり、吸水部材（２３）が吸収した水の水蒸気化が進み、ひいては、水滴の捕集量が増大する。
【００１７】
また、請求項４に記載のように、フィルム（１４〜１６）のうち少なくとも一部（１６）が移動することで、前記ケーシング（１０）が開閉し、当該一部（１６）には、当該一部（１６）の移動方向に延びる骨部材（７３）が取り付けられており、骨部材（７３）は、所定の形状が当該移動方向に繰り返す螺旋構造になっており、当該所定の形状の大きさは、当該一部（１６）の一端から遠ざかるにつれて段階的に大きくなっていき、その後当該一部（１６）の他端に近づくにつれて段階的に小さくなっていくようになっていてもよい。
【００１８】
ケーシング（１０）の開閉機構がこのようなフィルム（１６）と骨部材（７３）を備えた提灯構造となっていることで、ケーシング（１０）が開いた状態、すなわち、フィルム（１６）が畳まれた状態においては、骨部材（７３）が多重に重ならないので、フィルム（１６）をより小さく縮めることができる。また、開閉機構が提灯構造となっていることで、外力に対する強度が向上する。また、骨部材（７３）によってフィルム（１６）が補強されているので、風が強い時にも、フィルム（１６）が大きく変形してしまうことを防ぐことができる。
【００１９】
また、請求項５に記載のように、請求項１ないし４のいずれか１つに記載の水滴捕集装置を設置する方法であって、ケーシング（１０）内の第１の空間（４１）から吸水部材（２３）に太陽が当たるよう、水滴捕集装置を設置することを特徴とする方法としても、本発明を捉えることができる。
【００２０】
また、請求項６に記載のように、水滴捕集装置を設置する場所における夏至の南中高度に基づいて、吸水部材（２３）の設置角度を決定するようになっていてもよい。このようにすることで、設置する場所の太陽の照射環境に適した角度で吸水部材（２３）を設置することができる。
【００２１】
なお、上記および特許請求の範囲における括弧内の符号は、特許請求の範囲に記載された用語と後述の実施形態に記載される当該用語を例示する具体物等との対応関係を示すものである。
【発明を実施するための最良の形態】
【００２２】
（第１実施形態）
以下、本発明の第１実施形態について説明する。図１に、本実施形態に係る水滴捕集装置１の概略図を示す。この水滴捕集装置１は、ケーシング１０、吸湿部２０、支持部材４０ａ、４０ｂ、および貯蔵槽５０を有している。
【００２３】
ケーシング１０は支持部材４０ａ、４０ｂに支えられることで地上に設置され、吸湿部２０を内部に収容する。その際、ケーシング１０中において、吸湿部２０の上側（第１の側に相当する）の空間（第１の空間に相当する）４１と、吸湿部２０の下側（第２の側に相当する）の空間（第２の空間に相当する）４２とは、連通するようになっている。吸湿部２０は、周囲の相対湿度が高い場合には空気中の水蒸気を吸収し、周囲の相対湿度が低い場合には周囲に水蒸気を放出する。また、ケーシング１０および吸湿部２０は、水平面に対して傾けられた状態で設置されている。
【００２４】
また、ケーシング１０は、夜間等の大気中の相対湿度が高い場合には開き、日中には閉じるようになっている。したがって、夜間、雨天時、降雪時、霧発生時、霜発生時、等の大気中の相対湿度が高い場合には、吸湿部２０がケーシング１０内を通過する空気中の水蒸気を吸収し、日中等の相対湿度が低い場合には、吸湿部２０がケーシング１０内に閉じこめられて太陽光を受けることで、ケーシング１０内に水蒸気を放出する。そして、放出された水蒸気は、ケーシング１０内で矢印４、５のように自然に循環する空気に運ばれ、ケーシング１０の底面、側面等の内壁で液滴化し、その液滴が貯蔵槽５０に流れ込む。
【００２５】
以下、このような水滴捕集装置１の構成および作動について詳細に説明する。図２に、開いた場合のケーシング１０の斜視図を示し、図３に、閉じた場合のケーシング１０の斜視図を示す。
【００２６】
ケーシング１０は、扁平な直方体形状を成し、枠部材１１、１２、複数のワイヤーロープ１３、および透光性のあるフレキシブルなフィルム１４〜１６を備えている。
【００２７】
ここで、ケーシング１０の直方体の各面について説明する。以下では、面からケーシング１０の外側に向かう法線を、その面の向きとして説明する。ケーシング１０のうち、最も大きな面のうち１つは、太陽によく当たるように、南方向の上方を向いている。以下、この面を日向面という。また、日向面と反対の方向を向いている面を日陰面という。また、北方向の上方を向いている面を、上面といい、南方向の下方を向いている面を、下面といい、西方向を向いている面を西面といい、東方向を向いている面を東面という。したがって、ケーシング１０の外形は、上面および下面を底面とし、日向面、日陰面、西面、東面を側面とする四角柱でもある。
【００２８】
構造部材である枠部材１１は、上面の長方形の４辺を成す棒状部材（例えば金属パイプ、樹脂パイプ）であり、支持部材４０ａに支えられている。また、構造部材である枠部材１２は、下面の長方形の４辺を成す棒状部材（例えば金属パイプ、樹脂パイプ）であり、支持部材４０ｂに支えられている。
【００２９】
また、枠部材１１から枠部材１２へ、複数のワイヤーロープが、互いに平行に、張られている。これら枠部材１１、枠部材１２、およびワイヤーロープ１３により、ケーシング１０の外形が形成される。
【００３０】
また、枠部材１１によって囲まれる上面の全面には、フィルム１４が張られている。また、枠部材１２によって囲まれる下面の全面にも、フィルム１５が張られている。また、ケーシング１０の４つの側面（すなわち、日向面、日陰面、西面、および東面）には、環状のフィルム１６が設けられている。フィルム１５とフィルム１６とは、融着固定、熱圧着等によって密着している。したがって、フィルム１５およびフィルム１６からなるフィルムの形状は、袋形状となっている。
【００３１】
このフィルム１６は、図２および図３に示すように、ワイヤーロープ１３に平行な方向１９に移動可能となっている。そして、ケーシング１０を閉じた状態にする場合、図３に示すように、フィルム１６の枠部材１１側の端部を枠部材１１に接触させる。これによって、ケーシング１０の内部の吸湿部２０（図２、３では記載を省略している）が、ケーシング１０内に閉じこめられる。なお、ケーシング１０が閉じた状態におけるフィルム１６の過度の撓みを防止するために、フィルム１６は、図示しないフックまたはリングを介してワイヤーロープ１３に吊られていてもよいし、あるいは、フィルム１６は、ワイヤーロープ１３を囲むように配置されていてもよい。
【００３２】
また、ケーシング１０を開いた状態にする場合、図２に示すように、フィルム１６を縮めてフィルム１５側にまとめる。このとき、フィルム１５は縮んだ状態となる。このようにケーシング１０が開くことによって、ケーシング１０の内部を、ケーシング１０の外部の空気が通過することができるようになる。
【００３３】
このように、ケーシング１０においては、枠部材１１、１２が、ケーシング１０の外形を構成する骨格となり、フィルム１４〜１６が、ケーシング１０の壁を形成する。
【００３４】
図４に、吸湿部２０の斜視図を示し、図５に、吸湿部２０の裏面図（図４の矢印２９の方向から吸湿部２０を見た図）を示す。
【００３５】
吸湿部２０は、骨格部２１、シート２２、吸水部材２３、および導水部材２４を備えている。骨格部２１は、扁平な直方体の各辺を構成する棒状部材（例えば金属パイプ、樹脂パイプ）を有している。当該直方体は、吸湿部２０の外形を成し、ケーシング１０内に収まる大きさとなっている。この直方体の面のうち、ケーシング１０の上面、下面、日向面、日陰面、西面、東面に平行に対面する面を、それぞれ同様に上面、下面、日向面、日陰面、西面、東面という。骨格部２１は、当該直方体の上面、日向面、下面、日陰面を通る平行な棒状部材も有している。
【００３６】
不織布等から成るシート２２は、骨格部２１の構成する外形の内部において、複数枚が等間隔かつ平行に配置されている。また、各シート２２は、風雨などで損傷しない様に、骨格部２１に固定されている。
【００３７】
また、シート２２の表裏両面には、吸水部材（吸着剤ともいう）２３が保持（または担持）されている。この吸水部材２３は、周囲の水蒸気を吸収することができる材料から成る。シート２２による吸水部材２３の保持は、ペースト状の吸水部材２３をシート２２に塗布することで実現してもよいし、糊（例えばメチルセルロース）を用いて粉末状の吸水部材２３をシート２２に接着することで実現してもよい。塗布の方法としては、ダイコータ、ブレードコータ、転写法等の、公知の塗布の方法を用いることができる。
【００３８】
この吸水部材２３の特性としては、周囲の空気の相対湿度が高いほど水蒸気の吸収量が多くなる。例えば、周囲の相対湿度が基準湿度（例えば５０％〜８０％）を超えると周囲の水蒸気を吸収し、基準湿度以下では、周囲に水蒸気を放出するようになっている。
【００３９】
導水部材２４は、吸湿部２０の外形を成す直方体の日陰面において、骨格部２１に沿って配置され、さらに、位置２４ａから骨格部２１を離れて貯蔵槽５０の方向（すなわち鉛直下方）に延びている。導水部材２４としては、親水性の縄、パイプ、または紐（例えば綿紐、樹脂紐）を用いる。
【００４０】
図５に、吸湿部２０の外形を成す直方体の日陰面における導水部材２４の配置を示す。この図に示すように、導水部材２４は、当該日陰面において、位置２４ａに繋がっている。導水部材２４のうち、骨格部２１に沿って伸びている部分は、シート２２の一端にも接触している。したがって、導水部材２４は、吸水部材２３の下部に溜まった水を吸収し、吸収した水を位置２４ａを介して貯蔵槽５０まで導くようになっている。
【００４１】
このように、吸湿部２０においては、骨格部２１は、吸水部材２３を保持しつつ、吸水部材２３を通る空気の流れを阻害しない骨構造を有している。
【００４２】
図６に、ケーシング１０内に収められた状態の吸湿部２０を示す。なお、図６においては簡単のために、ケーシング１０についてはその外形のみを、吸湿部２０については骨格部２１のみを記載している。
【００４３】
この図に示すように、吸湿部２０は、全体がケーシング１０内に収められているので、ケーシング１０が閉じられた場合には、吸湿部２０はケーシング１０の外部から遮断され、ケーシング１０が開いた場合には、ケーシング１０の外部から流れ込んだ空気がシート２２の吸水部材２３の周りを通り、吸水部材２３がその空気中の水蒸気を吸収する。
【００４４】
また、吸湿部２０とケーシング１０との間には空間（隙間）が設けられている。具体的には、ケーシング１０の日向面と吸湿部２０の日向面との間には隙間（第１の空間３１に相当する）があり、ケーシング１０の日陰面と吸湿部２０の日陰面との間には隙間（第２の空間に相当する）があり、ケーシング１０の上面と吸湿部２０の上面との間には隙間があり、ケーシング１０の下面と吸湿部２０の下面との間には隙間があり、ケーシング１０の西面と吸湿部２０の西面との間には隙間があり、ケーシング１０の東面と吸湿部２０の東面との間には隙間がある。
【００４５】
したがって、日向面間の第１の空間（図１の空間４１）と、日陰面間の第２の空間（図１の空間４２）とは、上面間の空間、下面間の空間、西面間の空間、東面間の空間を介して連通している。したがって、ケーシング１０内に閉じ込められた空気がケーシング１０と吸湿部２０との間を通りやすくなっている。なお、吸湿部２０の骨格部２１は、図示しない固定部材によって、ケーシング１０の枠部材１１に固定されている。
【００４６】
貯蔵槽５０は、地中に設けられたタンク５１と、タンク５１とケーシング１０との間をつなぐパイプ５２とを有している。したがって、タンク５１は、パイプ５２を通じてケーシング１０の内部と連通している。導水部材２４は、このパイプ５１内を通ってケーシング１０内から貯蔵槽５０まで延びている。貯蔵槽５０は、この導水部材２４を伝って落ちてきた水滴、および、フィルム１６およびパイプ５１を伝って落ちてきた水滴を貯蔵する。
【００４７】
以下、このような構成の水滴捕集装置１の作動について説明する。本実施形態の水滴捕集装置１は、一日の気温の温度差により発生する湿度変化を利用して大気中の水分を吸収すると共に、ケーシング１０内部において太陽光の当たる日向と太陽光の当たらない日陰との間の温度差、および、一日の気温の温度差を利用して、水蒸気を凝縮して液滴化するようになっている。
【００４８】
まず、夕方または夜間になると、ケーシング１０が開いた状態にされる。開くタイミングの決定および実際に開ける作業は、共に人が行うようになっていてもよいし、後述するように共に自動的に行われるようになっていてもよい。
【００４９】
ケーシング１０が開放されると、ケーシング１０の内部は大気と連通し、ケーシング１０の外部と内部の相対湿度は同一になる。そして、外気温の低下に伴い相対湿度が上昇し、相対湿度が基準湿度を超えると、吸水部材２３がケーシング１０の内部に導入された空気中の水蒸気を吸収する。
【００５０】
その後、朝または昼になると、ケーシング１０が閉じた状態にされる。閉じるタイミングの決定および実際に閉じる作業は、共に人が行うようになっていてもよいし、後述するように共に自動的に行われるようになっていてもよい。
【００５１】
ケーシング１０が閉じられた後、ケーシング１０および吸湿部２０に太陽光が当たると、ケーシング１０内部の温度が上昇し、ケーシング１０の外部の気温よりも高くなる。このケーシング１０内の温度上昇に伴い、吸湿部２０の周囲の相対湿度が低下する。すると、吸水部材２３に吸着された水分は蒸発して水蒸気になり、ケーシング１０の内部に放出される。
【００５２】
蒸発した大量の水蒸気は、ケーシング１０内で加熱された空気と共に上昇し、ケーシング１０の日向面に到達する。すると、この高温の空気の一部は、図１の矢印４に示すように、ケーシング１０の日向面に沿って上昇してケーシング１０の上面に到達する、他の一部は、ケーシング１０の日向面に沿って水平方向（すなわち、図１の紙面に垂直な方向）に移動してケーシング１０の西面および東面に到達する。
【００５３】
ケーシング１０の上面、西面、東面の部分においては、直射日光を受けている吸湿部２０の周囲に比べて、温度が低くなっている。したがって、ケーシング１０の上面、西面、東面に到達した空気は冷やされて過飽和状態となり、空気中の水蒸気が結露し、液滴化する。その結果、ケーシング１０の上面、西面、東面のフィルム１５、１６に水滴が付着する。そして、この水滴はフイルム１５、１６に沿って流れ落ち、さらにパイプ５２を通って最終的にタンク５１内に捕集される。
【００５４】
ケーシング１０の上面、西面、東面に移動して冷やされた空気は、下降し、ケーシング１０の日陰面に回り込む。ケーシング１０の日陰面では、吸湿部２０によって太陽光が遮られる。したがって、ケーシング１０内の温度上昇も少なく、かつ、日陰面の直下の外気も日陰となっているので温度が低いので、ケーシング１０の日陰面の温度が低く抑えられる。したがって、日陰面の温度は、日向面側に比べて温度が低いばかりではなく、ケーシング１０の上面、西面、東面の部分に比べても温度が低い。
【００５５】
それ故、ケーシング１０の側面から日陰面に周り込んだ空気は更に冷やされ、空気中の水蒸気が過飽和状態となって結露し、液滴化する。その結果、ケーシング１０の日陰面のフィルム１６に水滴が付着する。そして、この水滴はフイルム１６に沿って流れ落ち、さらにパイプ５２を通って最終的にタンク５１内に捕集される。
【００５６】
なお、日向面側から日陰面側に回り込んで冷えた空気は、日陰面に沿って矢印５のように下降し、対流に押し上げられて再度吸水部材２３の周辺に戻り、直射日光を受けている吸湿部２０加熱され、吸水部材２３から放出された水蒸気を再度含んで上昇する。
【００５７】
このように、日中の太陽光が当たっている場合においては、吸水部材２３から水蒸気が放出され、空気がケーシング１０の日向面と日陰面とを循環する。したがって、吸湿部２０周辺で発生した水蒸気が、空気によって日向面まで上昇し、ケーシング１０の側面を通って日陰面まで運ばれ、上面、西面、東面および日陰面で液滴化するというサイクルが繰り返される。このように、ケーシング１０内における、吸湿部２０周辺の温度、上面、西面、東面周辺の温度、日陰面周辺の温度の差を利用して、水蒸気を液滴化して捕集することができる。
【００５８】
なお、水蒸気を含んだ空気が日向面から上面、西面、東面を通って日陰面に到達し、さらに吸水部材２３に戻ることができるのは、吸湿部２０とケーシング１０との間に隙間が設けられているからである。
【００５９】
つまり、本実施形態においては、吸水部材２３に対して太陽光の当たる日向側にある第１の空間４１と、吸水部材２３に対して太陽光の当たらない日陰側にある第２の空間４２と、が連通しているので、第１の空間４１と第２の空間４２との温度差を利用して、水蒸気を液滴化することができる。
【００６０】
すなわち、吸水部材２３およびその周囲の空気が太陽光を受けて高温になることで、吸水部材２３から水蒸気が放出され、その水蒸気を含んだ空気が、第１の空間４１に上昇し、さらに、第１の空間４１において温度が低下して、第２の空間４２に移動できる。そして、日陰となっている第２の空間４２において空気が冷却され、水蒸気が液滴化して捕集される。
【００６１】
なお、第１の空間４１において空気の温度が低下するのは、日向側であっても、ケーシング１０の端部は外気からの熱伝導により、直射日光を受ける吸水部材２３の周囲に比べて温度が低くなるからである。
【００６２】
このように、第１の空間４１と第２の空間４２とが連通しているので、ケーシング１０の吸水部材２３付近の温度と端部との温度差、および、第１の空間４１と第２の空間４２との温度差により、第１の空間４１から第２の空間４２への自然な空気の流れが発生する。したがって、水蒸気を含んだ空気を低温の場所に移動させるための送風機を必須とせず、大気から水を捕集することができる。
【００６３】
また、ケーシング１０内の空気は、ケーシング１０が開放されるまでは、ケーシング１０内に閉じこめられた状態となっている。これは、フィルム１６によってケーシング１０が閉じられた場合には、ケーシング１０に他の通風口が存在しないからである。
【００６４】
したがって、夕方になって太陽光が弱くなってくると、ケーシング１０の周辺の温度の低下に伴って、ケーシング１０内部の空気の温度も低下する。すると、ケーシング１０内部の空気が過飽和状態になり、ケーシング１０の上面、西面、東面および日陰面において更に液滴化が進む。このように、昼間に蒸発した水蒸気を含む空気をケーシング１０内に閉じこめておくことで、昼間と夕方の気温差を利用して、水蒸気を液滴化して捕集することができる。
【００６５】
このように、ケーシング１０内における位置による温度差、時間による温度差を利用して２段階で液滴化することで、夜間に吸水部材２３が捕集した水蒸気のほとんどを効率よく、液滴にすることができる。
【００６６】
また、本実施形態の水滴捕集装置１は、ほぼ全体がフィルムで覆われているので、構造が簡単であり、また、水滴捕集装置１の占める敷地面積に対する受光面の割合を大きくすることができる。したがって、吸収した水蒸気を効率的に液滴化することができる。例えば、吸収剤の表面積（吸着剤１００ｇ／ｍ２付着の不織布）４ｍ２において吸水部材２３が吸収した水蒸気量が５００ｇの場合、約３５０〜４００ｇの水を貯蔵槽５０に捕集することができる。
【００６７】
以上のように、本実施形態の水滴生成装置１によれば、大気の相対湿度が高いときにケーシング１０を開放することで、吸水部材２３に水分を吸収させ、また、太陽光がケーシング１０に照射されているときにケーシング１０を閉じることで、ケーシング１０内の温度を上昇させて吸水部材２３に水分を放出させ、また、ケーシング１０内部の太陽光の当たる側、太陽光の当たらない側の温度差を利用して、空気を循環させ、効率的にケーシング１０内の水蒸気を液滴化させることができる。このため、ケーシング１０の開閉だけで自然に発生する温度差を利用して、大気中の水蒸気を回収して水滴を得ることができる。
【００６８】
また、雨が降っている場合、露ができる場合、霧がある場合も、ケーシング１０を開放するようになっていてもよい。その場合、雨、露、霧は、吸水部材２３およびシート２２に吸収されるが、吸収し切れない余分な水は、滴り落ちて、吸水部材２３の直下に取り付けられた導水部材２４に捉えられ、導水部材２４を伝って、タンク５１に導かれる。また、吸水部材２３が夜の間に吸収した多量の水が、太陽光が当たる初期段階で、液滴として雫のように流れ落ちて導水部材２４に捉えられ、導水部材２４を伝って、タンク５１に導かれる場合もある。
【００６９】
なお、タンク５１に貯蔵された水の活用方法としては、以下のようなものがある。まず、飲料水として用いることができる。この水は、原理的には、蒸留水であるので、飲料水として適している。飲料用水として使用する前に、紫外線、オゾン、塩素などで殺菌するようにしてもよい。また、農業用水、工業用水としても利用することができる。
【００７０】
また、タンク５１に貯蔵された水から、容易に超純水を作ることができる。タンク５１に貯蔵される水は、以下のような経緯を経て貯蔵される。まず、海水または地表から、太陽の熱によって水が蒸発し、蒸発してできた水蒸気が大気中で空気と混合されて、大気の気流に乗って、大気圏を移動する。そして、大気圏を移動した水蒸気は、水滴捕集装置１の吸水部材２３に捕集される。さらに、吸水部材２３に捕集された水は再度太陽熱によって、放出（蒸発）され、その後に液滴化してタンク５１に捕集される。
【００７１】
この吸水部材２３から放出された水蒸気には、金属イオン等の水分子以外のものは、ほとんど含まれていない。したがって、タンク５１に捕集された水中に溶け込んだイオン（ＣＯ２などのイオン）をイオン交換樹脂で除去して、超純水を作成するのは、容易かつ安価である。捕集される水は元々水蒸気であったので、超純水にする工程（イオン除去の工程）が短くて済む。
【００７２】
以下、水滴捕集装置１の各構成部品の構成および作動の具体例について説明する。
（１）フィルム
フィルム１４、１５、１６のそれぞれには、上昇した内部の熱を外部に放出させないために、すなわち、断熱性を高めるために、重なった２枚のフィルム（すなわち二重フィルム）を用いるようになっていてもよい。
【００７３】
なお、フィルムの厚さが約５０μｍ以上の場合は、フィルム内の熱伝導率が小さいので、断熱効果が期待でき、内部の温度を上昇させることができる。また、５０μｍ未満の薄いフィルムでは、フィルム断面の熱移動が起こり、断熱効率がやや弱いので、フィルムを二重構造とした方が（すなわち、二重フィルムを用いた方が）内部の温度上昇を効率に向上させることができる。
【００７４】
二重フィルム１４、１５、１６におけるフィルム間の間隔は、良好な絶縁性を実現するために、フィルム間において対流が発生しないような間隔としてもよい。例えば、０．１〜５ｍｍ程度の間隔が好ましい。
【００７５】
このように、ケーシング１０の壁となるフィルム１４〜１６が二重フィルムとなっていることで、ケーシング１０の内部と外部との間の断熱性が高まり、太陽光を受けた際の吸水部材２３の温度がより上昇し易くなり、吸水部材２３が吸収した水の水蒸気化が進み、ひいては、水滴の捕集量が増大する。
【００７６】
また、フィルム１６は、ケーシング１０が開放された状態（すなわちフィルム１６が縮んだ状態）においてよりコンパクトになるように、蛇腹形状となっていてもよい。
【００７７】
フィルム１４、１５、１６の材質としては、例えば、塩化ビニル、ポリエチレン、ナイロン、ポリオレフィン、テフロン（登録商標）（テトラフルオロエチレン・エチレン共重合体（ＥＴＦＥ）等をいう）、ＰＥＴ（ポリエチレンテレフタレート）などの素材を用いることができる。
【００７８】
特に、ケーシング１０の日向面および上面、西面、東面に位置するフィルムについては、太陽光線の透過率が高いほど望ましい。例えば、透過率が８０％以上の材料が用いられてもよい。その中でも、透過率が９０％以上の材料がより好ましい。
【００７９】
また、フィルム１４〜１６には、紫外線をカットする機能が付与されていることが好ましい。その理由は、後述するように吸水部材２３の材料としては有機材料が用いられる場合があるので、太陽からの紫外線で吸水部材２３が劣化を引き起こす可能性があるからである。したがって、フィル１４〜１６の材料に周知の紫外線を吸収する機能材料を混合または塗布することで、吸水部材２３を劣化から保護することができる。
【００８０】
また、フィルム１４〜１６は屋外に設置されるので、砂埃などに晒される。したがって、表面が傷付きにくい表面処理がされていると、好ましい。
【００８１】
また、フィルム１６のうち、ケーシング１０の日向面に位置するフィルムについては、ケーシング１０の外部に露出している側の表面、および、ケーシング１０の内部側の表面（すなわち、吸水部材２３側の表面）において、水滴が付着しにくい材料を塗布してもよい。これは、日向面に位置するフィルムに水滴が付着すると、太陽光が散乱および反射されてしまい、吸湿部２０に直接当たる太陽光の量が減少してしまうからである。水滴が付着しないような処理を施すことで、太陽光線を効率よく、内部に導くことができる。また、ケーシング１０の日向面に位置するフィルムに水滴が付着しにくい材料を練り込んでもよい。
【００８２】
水滴が付着しにくいフィルムとしては、特開２００４−１６８８３８号公報、特開２００５−２７８５６０号公報に記載されている樹脂フィルム（熱可塑性フィルム）のように、表面の第１層に多糖類誘導体またはアクリルアミド系誘導体を含有する水性皮膜を用い、第２層にコロイド状無機微粒子とアクリル系共重合体を成型したフィルムを用いたフィルムを用いてもよい。
【００８３】
また、日向面のフィルムの中に水滴が付着しにくい材料（例えば、ポリテトラフルオロエチレン）を混入するか、あるいは、フィルムにポリテトラフルオロエチレンをコーティングすることで、水を弾きやすいフィルムを実現することができる。
【００８４】
例えば、日向面のフィルムとして、フッ素樹脂入りフィルム（例えば、東レ株式会社において販売されているフッ素フィルム、グリーンテック株式会社のＡＧＣ）を用いることで、光の透過率がよく、かつ耐光性（紫外線カット性能）もよく、水を弾く能力（水滴の付着を防止する能力）も高いフィルムを実現することができる。
【００８５】
また、日陰面のフィルムについては、日向面のフィルムよりも熱伝導性の高いフィルムを用いるようになっていてもよい。このようになっていることで、ケーシング１０の外部において吸湿部２０の陰になる部分から日陰面のフィルムに冷気が効率よく伝わり、日陰面のフィルムがよく冷えるようになり、その分、液滴化する水蒸気の量が増える。また、日陰面のフィルムの吸湿部２０側の表面には、液滴化を加速する表面処理剤（例えば撥水材料）が塗布されていてもよい。また、日陰面のフィルムの吸湿部２０側の表面には液滴化を加速する表面処理剤が練り込まれていてもよい。
【００８６】
（２）吸水部材
シート２２に保持される吸水部材２３としては、水分の吸収量が出来るだけ大きく、かつ、相対湿度の変化に対して急峻な吸収・放出特性を有している材料が好ましい。さらに、耐久性が良い材料が好ましい。本実施形態では、吸水部材２３としてメソポーラスシリカを用いている。
【００８７】
図７は、吸水部材２３を構成するメソポーラスシリカ（ＦＳＭ：Folded Sheets Mesoporous Material）の分子構造を示した拡大図である。図７に示すように、メソポーラスシリカ１００は、無数の細孔１０１が形成された蜂の巣状の三次元構造体として構成されている。本実施形態では、各細孔１０１の直径が１〜７ｎｍのメソポーラスシリカ１００を用いている。このような構造のメソポーラスシリカ１００は、細孔１０１によって表面積を稼いでいるため、非常に大きな吸収水分量を得ることができる。
【００８８】
このようなメソポーラスシリカ１００は、例えば、特開平１０−８７３１９号公報に示される手法によって形成される。まず、粘土鉱物に酸を作用させて層状珪酸としたのち、層状珪酸に対してアルカリ金属化合物を作用させることで層状珪酸塩を形成する。次に、層状珪酸塩に対して界面活性剤（テンプレート材料）を作用させることで、無数の細孔１０１が形成されたハニカム状の珪酸塩三次元構造体からなるメソポーラスシリカ１００が生成される。
【００８９】
メソポーラスシリカ１００の細孔径は、作用させる界面活性剤の炭素数により変化させることができる。具体的には、界面活性剤の炭素数が多いほど細孔径を大きくでき、界面活性剤の炭素数が少ないほど細孔径を小さくできる。また、界面活性剤の炭素数のバラツキが小さいほど、メソポーラスシリカの細孔径のバラツキを小さくすることができる。
【００９０】
さらに、メソポーラスシリカの細孔壁にアルミニウムイオンを添加することで、メソポーラスシリカの耐久性を向上させることができる。このような構成のメソポーラスシリカは、約１万サイクル使用後に吸収・放出特性を初期の８０％以上に維持することができる。
【００９１】
細孔壁にアルミニウムイオンが添加されたメソポーラスシリカは、以下の手順で作成できる。まず、メソポーラスシリカを焼成（５００〜７００℃）した後、塩化アルミニウム水溶液（塩化アルミニウム約０．１モルを添加）に含浸させて、再度焼成（５００〜７００℃）する。次に、層状珪酸に対してアルカリ金属化合物を作用させて層状珪酸塩を形成するときに、溶液中に塩化アルミニウム、又は硝酸アルミニウムを約０．１モルを添加すると、結晶壁中にアルミニウムが混入する。これを焼成（５００〜７００℃）すると、耐久性が良いメソポーラスシリカを作成することができる。
【００９２】
次に、吸水部材２３として用いているメソポーラスシリカの水分吸収・放出特性について説明する。図８は、相対湿度を変化させた場合におけるメソポーラスシリカの水分吸収・放出特性を示している。図８では、細孔径が異なる３種類のメソポーラスシリカと比較のためにシリカゲルの水分吸収・放出特性を示している。図８では、細孔径が１．６ｎｍの第１のメソポーラスシリカ、細孔径が２．４５ｎｍの第２のメソポーラスシリカ、細孔径が４ｎｍの第３のメソポーラスシリカについて示している。第１のメソポーラスシリカは炭素数が１０の界面活性剤を用いて作成し、第２のメソポーラスシリカは炭素数が１６の界面活性剤を用いて作成し、第３のメソポーラスシリカは炭素数が２０〜４０の界面活性剤を用いて作成している。
【００９３】
図８に示すように、メソポーラスシリカはシリカゲルに比較して、水分の吸収量が大きく、かつ、相対湿度の変化に対して急峻な吸収・放出特性を有していることがわかる。つまり、メソポーラスシリカは、相対湿度のわずかな変化で多量の水分を吸収および放出することができる。以下、メソポーラスシリカの水分吸収量が急激に変化する相対湿度範囲を「水分吸収量変化領域」という。
【００９４】
メソポーラスシリカの細孔径は、メソポーラスシリカの水分の吸収・放出特性と相関関係がある。第１のメソポーラスシリカは、図中のＡ〜Ｂ点の範囲内で水分吸収量が急激に変化しており、水分吸収量変化領域は相対湿度５０〜６０％である。第２のメソポーラスシリカは、図中のＣ〜Ｄ点の範囲内で水分吸収量が急激に変化しており、水分吸収量変化領域は相対湿度２２〜３３％である。第３のメソポーラスシリカは、図中のＥ〜Ｆ点の範囲内で水分吸収量が急激に変化しており、水分吸収量変化領域は相対湿度７０〜８５％である。このように、メソポーラスシリカの水分吸収量変化領域は、細孔径が小さいほど相対湿度が低い側にシフトし、細孔径が大きいほど相対湿度が高い側にシフトする。また、メソポーラスシリカは細孔径が大きいほど水分吸収量が大きくなっている。さらにメソポーラスシリカは、細孔径の分布が狭い範囲であるほど、水分吸収量変化領域が狭くなる。
【００９５】
メソポーラスシリカの水分吸収・放出特性は、水滴生成装置を用いる環境によって適宜選択することができる。具体的には、一日の湿度変化がメソポーラスシリカの水分吸収量変化領域をまたがるようすればよい。例えば、砂漠では大気中が乾燥し相対湿度が低いので、メソポーラスシリカの水分吸収量変化領域が相対湿度２０〜６０％の範囲内に収まっていることが好ましく、温度が高く湿度が高い環境ではメソポーラスシリカの水分吸収量変化領域が相対湿度４０〜９０％の範囲内に収まっていることが好ましく、温帯地方ではメソポーラスシリカの水分吸収量変化領域が相対湿度２０〜８０％の範囲内に収まっていることが好ましく、寒冷地方では相対湿度が低いので、メソポーラスシリカの水分吸収量変化領域が相対湿度１０〜６０％の範囲内に収まっていることが好ましい。
【００９６】
図９は、温度と相対湿度とメソポーラスシリカの水分吸収・放出特性の関係を示している。図９における第１・第２・第３のメソポーラスシリカおよびＡ〜Ｆ点は、それぞれ図８と対応している。
【００９７】
図９に示すように、温度が上昇すると相対湿度が低下し、温度が低下すると相対湿度が上昇する。このように温度変化により相対湿度が変化することで、メソポーラスシリカは水分を吸収または放出することができる。
【００９８】
第１のメソポーラスシリカを例えば１５℃〜６０℃の温度範囲で用いる場合には、図中のＡ点以上の温度で吸収した水蒸気を放出し、Ｂ点以下の温度で水蒸気を吸収する。Ａ点とＢ点の間の温度は、水分の吸収と放出が切り替わる遷移領域である。第２のメソポーラスシリカを例えば２５℃〜６０℃の温度範囲で用いる場合には、図中のＣ点以上の温度で吸収した水蒸気を放出し、Ｄ点以下の温度で水蒸気を吸収する。Ｃ点とＤ点の間の温度は、水分の吸収と放出が切り替わる遷移領域である。第３のメソポーラスシリカを例えば３２℃〜６０℃の温度範囲で用いる場合には、図中のＥ点以上の温度で吸収した水蒸気を放出し、Ｆ点以下の温度で水蒸気を吸収する。Ｅ点とＦ点の間の温度は、水分の吸収と放出が切り替わる遷移領域である。なお、図９において、相対湿度１００％に対応する温度が液滴化温度（露点）であり、液滴化温度より低温になると、空気中に含まれている水蒸気が凝縮する。
【００９９】
次に、メソポーラスシリカの水分吸収量および放出量について説明する。ここでは、第１のメソポーラスシリカと第２のメソポーラスシリカを例に挙げて説明する。
【０１００】
上述のように、第１のメソポーラスシリカは、湿度が３３％以上になると大気中の水蒸気を吸収し湿度が２２％以下になると大気中の水蒸気を放出する。図８に示すように、第１のメソポーラスシリカは、相対湿度３３％以上では、相対湿度２２％以下に比較して、１ｇ当たり０．３ｇ以上の水蒸気を吸収することができる。第１のメソポーラスシリカは、相対湿度が１００％のときの飽和吸水量は１ｇ当たり約０．４８ｇであり、相対湿度が３３％のときの飽和吸水量は約０．４１ｇである。これに対し、相対湿度が２３％のときの飽和吸水量は１ｇ当たり約０．１０ｇであり、更に低湿度の相対湿度１０％のときの飽和吸水量は１ｇ当たり約０．０３ｇである。
【０１０１】
このため、相対湿度が１００％から１０％に変化した場合の水分放出量は、１ｇ当たり０．４５ｇ（＝０．４８ｇ−０．０３ｇ）となり、相対湿度が３３％から２３％に変化した場合の水分放出量は、１ｇ当たり０．３１ｇ（＝０．４１ｇ−０．１０ｇ）となる。このように、第１のメソポーラスシリカは、相対湿度２２〜３３％をまたがる湿度範囲で用いた場合に、優れた水分吸収・放出性能を発揮できる。
【０１０２】
上述のように、第２のメソポーラスシリカは、湿度が６０％以上になると大気中の水蒸気を吸収し湿度が５０％以下になると大気中の水蒸気を放出する。図８に示すように、第２のメソポーラスシリカは、相対湿度６０％以上では、相対湿度５０％以下に比較して、１ｇ当たり０．３５ｇ以上の水蒸気を吸収することができる。第２のメソポーラスシリカは、相対湿度が１００％のときの飽和吸水量は約０．７２ｇであり、相対湿度が６０％のときの飽和吸水量は１ｇ当たり約０．６３ｇである。これに対し、相対湿度が５０％のときの飽和吸水量は１ｇ当たり約０．２７ｇであり、相対湿度２０％のときの飽和吸水量は１ｇ当たり約０．０９ｇである。
【０１０３】
このため、相対湿度が１００％から２０％に変化した場合の水分放出量は、１ｇ当たり０．６８ｇ（＝０．７２ｇ−０．０９ｇ）となり、相対湿度が６０％から５０％に変化した場合の水分放出量は、１ｇ当たり０．３６ｇ（＝０．６３ｇ−０．２７ｇ）となる。このように、第２のメソポーラスシリカは、相対湿度５０〜６０％をまたがる湿度範囲で用いた場合に、優れた水分吸収・放出性能を発揮できる。
【０１０４】
（３）吸湿部の設置角
吸湿部２０は、吸湿部２０の外形を成す直方体の日向面が日光を受けやすいような角度で設置されることが望ましい。
【０１０５】
具体的には、図１０に示すように、日向面の法線方向６０（すなわち、日向面に垂直な方向）は、東西南北の方位としては真南を向き、かつ、鉛直上向き方向６１に対して角度θ＋αだけ傾いている位置を採用してもよい。ここで、水滴捕集装置１の設置位置における夏至の太陽の南中高度をωとすると、θ＝９０°−ωという等式が成り立つ。すなわち、角度θの方向は、夏至に南中した太陽の方向に相当する角度である。また角度αは、０°より大きく所定角度（例えば１０°）より小さい角度とする。このような向きに吸湿部２０の日向面の法線方向を向けることで、吸湿部２０の日向面は、夏至よりも少し（角度α分）前後した日に南中した太陽に正対するようになる。このようにすることで、一年を通して太陽光線が吸湿部２０に良好に照射される。例えば、角度θ＋αは、３０°〜７５°程度が望ましく、特に日本の場合、角度θ＋αは、５０°〜７０°程度が望ましい。また、６５°〜７５°程度も好ましい。
【０１０６】
あるいは、吸湿部２０の日向面の法線方向を、固定ではなく、変動するようにしてもよい。このようにするためには、吸湿部２０が固定されているケーシング１０の設置角を変化させることのできるような機構を設ければよい。
【０１０７】
そのような機構として、地球の自転軸に平行な極軸と、極軸に直交した赤緯軸の２軸で構成された架台を用いてもよい。このような架台は、天体望遠鏡に広く用いられている。このような架台を用いれば、極軸の周りにケーシング１０を回転させるだけで、一日の太陽の動きに吸湿部２０を追尾させ、吸湿部２０の日向面の法線方向が常に太陽に正対するようにすることができる。また、この場合、日毎の南中高度の変化に対応して吸湿部２０を追尾させるには、赤緯軸の周りにケーシング１０を回転させて微調整すればよい。
【０１０８】
なお、これら２軸のそれぞれにケーシング１０を回転させるモータを取り付け、さらに、これらモータを制御するマイクロコンピュータ（制御装置）を設けてもよい。その場合、このマイクロコンピュータが、所定のプログラムを実行することで、夜以外は吸湿部２０の日向面の法線方向が常に太陽の方向を向くよう、モータを制御するようになっていてもよい。
【０１０９】
以上のようにすることで、設置する場所の太陽の照射環境に適した角度で吸水部材２３を設置することができる。
【０１１０】
（３）シートの材質
シート２２としては、不織布を用いてもよいし、あるいは、以下の（ａ）〜（ｈ）を用いてもよい。
（ａ）紙、新聞紙、トイレットペーパー等の紙類
（ｂ）ポリエチレンテレフタラートのシート、ポリオレフィンシート、塩化ビニルシート、ナイロンシート、ポリエステルシート、レーヨン、テフロン（登録商標）（テトラフルオロエチレン・エチレン共重合体（ＥＴＦＥ）等をいう）
（ｃ）絹の布、綿の布、セラミックウール等の布
（ｄ）動物の毛をシート状にしたもの、毛布状のシート
（ｅ）アルミニウム、銅、鉄系材料等から成る金属箔
（ｆ）金属の網、樹脂で成型されている網
（ｇ）発泡ウレタンフォーム、セラミックフォームの骨格
すなわち、シート２２としては、吸水部材２３を保持できるようなシートであれば、どのようなものでもよく、また、水分を含むことができるようになっていてもよい。
【０１１１】
また、各シート２２は、図１１の断面図に示すように、複数の層から成る積層構造であってもよい。また、水分の吸収性を高めるために、各シート２２の表面に図１２の断面図に示すように植毛処理を施してもよい。植毛には、例えば動物の毛を用いてもよい。また、シート２２の光の吸収性を高めるために、シート２２にカーボン粉末材料を混入させてもよい。また、シート２２内における熱伝導性を高めるために、シート２２に金属粉末または金属繊維を混入させるようになっていてもよい。
【０１１２】
あるいは、シート２２の熱伝導性および強度を高めるために、図１３の断面図に示すように、多層のシート２２内に金属製（例えばアルミ製、銅製、鉄製）の板（または箔）６４を芯材として挿入するようになっていてもよい。
【０１１３】
また、各シート２２としては、図１４の断面図に示すように、面対称なヒダ付きのシート２２を用いてもよい。このようなシート２２は、図１５（ａ）の断面図に示すように、３つの層２２ａ〜２２ｃを平行に配置し、続いて図１５（ｂ）の断面図に示すように、両端の層２２ａ、２２ｃを九十九折りにし、両端の層２２ａ、２２ｃの谷の部分（中間の層２２ｂに近い側の折り目）を中間の層２２ｂに接着し、続いて図１５（ｃ）の断面図に示すように、両端の層２２ａ、２２ｃの山の部分（中間の層２２ｂから遠い側の折り目）を切り取ることで、作成することができる。
【０１１４】
また、各シート２２としては、図１６の断面図に示すように、非面対称なヒダ付きのシート２２を用いてもよい。このようなシート２２は、図１７（ａ）の断面図に示すように、シート２２を交互に異なる方向に突起を形成するように折り、続いて図１７（ｂ）の断面図に示すように突起の根本の部分を接着し、続いて図１７（ｃ）の断面図に示すように突起の頂点の部分を切り取ることで、作成することができる。
【０１１５】
また、各シート２２としては、図１８の断面図に示すように、ヒダ付きの層を複数個重ねた構造を有するものを用いてもよい。また、ヒダ付きのシート２２に更に植毛処理が施されていてもよい。
【０１１６】
このように、シート２２を毛羽立たせることで、シート２２（およびシート２２に保持された吸水部材２３）と空気との接触を多くすることができ、空気中の水蒸気をより多く吸収することができる。
【０１１７】
また、図１１、１３〜１８に示すように、シート２２の両端部２２ｄ、２２ｅは、両端部以外の部分と一体かつ同じ材質で、かつ、リング状に成型されていてもよい。このリング部分２２ｄ、２２ｅを用いてシート２２を骨格部２１に固定することで、シート２２の固定が確実かつ容易になる。
【０１１８】
具体的には、図１９の断面図に示すように、各シート２２のリング部分２２ｄ、２２ｅに、ワイヤ（例えば金属製のワイヤ）６３ａ、６３ｂを通し、そのワイヤ６３ａ、６３ｂを骨格部２１に結び付けて固定することで、各シート２２を骨格部２１に固定してもよい。
【０１１９】
ワイヤ６３ａ、６３ｂを骨格部２１に固定する部材としては、ワイヤ６３ａ、６３ｂの張力を調整可能な張力調整器を有する公知の固定金具を用いてもよい。
【０１２０】
また、金属板（または箔）６４がシート２２内に芯材として埋め込まれている場合には、金属板（または箔）６４とワイヤ６３ａ、６３ｂとの接合強度を向上させるために、図２０の断面図に示すように、金属板（または箔）６４の端部をリング部２２ｄ、２２ｅと同心のリング状にし、そのリング内にワイヤ６３ａ、６３ｂを通すようになっていてもよい。
【０１２１】
（４）シートの配置
複数のシート２２の並び方向と、吸湿部２０の傾き方向との関係としては、図２１に示すような関係および図２２に示すような関係の２つが考えられる。吸湿部２０は、既述の通り、吸湿部２０の日向面が南の方角を向くように傾けるので、南側が低く、北側が高くなる。したがって、複数のシート２２の並び方向としては、図２１に示すように南北方向に並ぶ場合と、図２２に示すように東西方向に並ぶ場合とがある。
【０１２２】
海岸沿い等、強い風（例えば、風速２ｍ／秒以上の風）が吹く場合が多い地域（例えば、海岸沿い）においては、図２１の場合と図２２の場合のどちらを採用してもよい。しかし、強い風があまり吹かない地域においては、図２１の場合と図２２の場合のうち、空気がシート２２の間を通り易い方を採用すると好ましい。
【０１２３】
具体的には、風が南北方向よりも東西方向に吹く傾向が強い地域では、図２１の並び方向を採用し、風が東西方向よりも南北方向に吹く傾向が強い地域では、図２２の並び方向を採用すればよい。
【０１２４】
また、隣り合うシート２２の間の間隔は、空気が十分に通過する間隔で、大気中の水蒸気が十分吸収できる間隔が好ましい。すなわち、この間隔が狭いほど、単位敷地面積あたりに設置できるシート２２の個数が多くなり、その分、多量に水蒸気を吸収することができるが、その一方で、この間隔は狭いほど、シート２２間の空気の通りが悪くなり、その分、吸収できる水蒸気量が減少してしまう。
【０１２５】
例えば、１枚のシート２２が幅１ｍ×長さ２ｍであり、隣り合うシート２２間の間隔を２００ｍｍとしてもよい。一般的には、屋外の比較的空気流が少ない場所（例えば、風速１ｍ／秒未満となる場所）では、間隔を1０〜３００ｍｍとすることが望ましい。３００ｍｍを越えると、装置が大きくなる分ほどは水蒸気の吸収量が増大しない。また、空気量が多い場所（例えば、風速約１ｍ／秒以上の風が強い場所）だと、シート２２間の間隔は、１００ｍｍ、５０ｍｍ、３０ｍｍ、１０ｍｍであっても、十分な水蒸気を得ることができる。
【０１２６】
また例えば、１枚のシート２２が、幅１ｍ×長さ１０ｍであった場合、隣り合うシート２２間の間隔は、１０ｍｍ〜５００ｍｍであることが好ましい。これが１０ｍｍ以下となると、大気中の気流の流れが約２ｍ／秒以上にならないと、幅１ｍで１０ｍｍ以下の間隔の間に空気が流れなくなり、大気中の水蒸気を吸収することが少なくなる。一方、間隔が５００ｍｍ以上になると、大気は吸着剤の間を流れるが、単位敷地面積あたりに設置できるシート２２の個数が少なくなる。
【０１２７】
また、図１０に示すように、吸湿部２０の日向面の法線方向６０に対して、各シート２２は傾いて設置される。法線方向６０に対する各シート２２の傾きβは、太陽光が法線方向６０に平行に吸湿部２０に照射されたとき、シート２２の日向面側のすべての面が均等に太陽光を受けることができるような角度とする。
【０１２８】
（５）開閉制御
ケーシング１０の開閉は、自動的に行うようになっていてもよい。そのために、水滴捕集装置１は、開閉制御用のマイクロコンピュータ、開閉用のモータ、および当該モータによって作動するフィルム１６の開閉機構を有していてもよい。
【０１２９】
開閉機構としては、フィルム１６の枠部材１１側端部の複数箇所に取り付けられ、開閉制御用モータの回転に応じて当該枠部材１１側端部を上下に移動させるアームを用いてもよい。
【０１３０】
また、開閉制御用マイクロコンピュータは、ケーシング１０の開閉のタイミングを、大気中の湿度に基づいて決定してもよい。この場合、水滴捕集装置１は、ケーシング１０の外側（または内側）に湿度センサを備え、当該湿度センサが検出する相対湿度の信号がケーシング１０に入力されるようにする。そして、開閉制御用マイクロコンピュータは、検出された相対湿度が所定の基準湿度（例えば８０％）以上となったとき、ケーシング１０を開き、検出された相対湿度が所定の基準湿度未満となったとき、ケーシング１０を閉じるようモータを制御してもよい。
【０１３１】
また、大気中の湿度に基づいて開閉タイミングを決定すると、結果的に、気象の状態に応じて、開閉が制御される。例えば、雨、霧、霜、雪の場合、大気中の相対湿度が高いので、ケーシング１０が開放されることになり、吸水部材２３が水分を捕集できる。また、曇りの場合には、雨が降りそうになると高湿度になるので、ケーシング１０が開放されることになる。またこの際、水滴捕集装置１は、湿度センサと共に雨滴センサを有し、開閉制御用マイクロコンピュータは、湿度センサの検出した相対湿度に関わらず、雨滴センサが雨滴を検出したことに基づいて、ケーシング１０を開くようになっていてもよい。
【０１３２】
また、水滴捕集装置１は、湿度センサと共に気温センサを有していてもよい。この気温センサは、ケーシング１０の外側（または内側）に設けられ、大気の温度を検出し、検出した温度の信号を開閉制御用マイクロコンピュータに出力する。この場合、開閉制御用マイクロコンピュータは、湿度センサと気温センサの出力信号に基づいて、ケーシング１０の開閉タイミングを決定してもよい。例えば、検出された温度が基準温度以下である場合、上述の通り基準湿度と検出した湿度との関係に基づいて開閉を制御するが、検出された温度が基準温度以上である場合は、検出した湿度に関わらず、ケーシング１０を開放せず閉じるようにするようになっていてもよい。
【０１３３】
このようにすることで、梅雨等の曇天が続く時期においても、効率よく水蒸気を捕集できる。なぜなら、曇天が続く場合は、大気の湿度が高い状態が日中も続く。したがって、湿度のみに基づいて開閉制御を行うと、常にケーシング１０が開いた状態となってしまう。しかし、上記のように、大気温度が上昇した場合に湿度によらずにケーシング１０を閉じることで、密閉された空間に大気熱が蓄えられ、その結果、吸収された水蒸気は放出され、適切に水分を捕集することができる。
【０１３４】
なお、湿度センサおよび温度センサは、ケーシング１０の内部の吸水部材２３の近くに設けられていてもよい。
【０１３５】
また、太陽が出る時間は暦（日時）によって決まっているので、開閉制御用マイクロコンピュータは、ケーシング１０の開閉のタイミングを、現在日時に基づいて決定してもよい。この場合、開閉制御用マイクロコンピュータは、日時を計測する時計機能を有し、また、日付毎の閉鎖時刻および開放時刻のデータを有しており、このデータに基づいて、現在の日付における閉鎖時刻においてケーシング１０を閉じ、現在の日付における開放時刻においてケーシング１０を開くようモータを制御してもよい。
【０１３６】
なお、開放時刻は、例えば、その日付の日没時刻から、約１．５時間〜３時間であってもよい。太陽が沈んでも、ある程度の時間（夏であれば３時間程度）は、ケーシング１０内に熱気がこもり、吸着剤の水蒸気を放出することができるからである。また、閉鎖時刻は、例えば、その日付の日の出時刻から約１５〜６０分以内であってもよい。日の出から６０分を超えると、吸収した水蒸気が太陽の光によって、加熱され、放出され始めるからである。
【０１３７】
また、水滴捕集装置１は、ケーシング１０内（例えば吸水部材２３付近）の空気の温度および相対湿度を検出する第１センサと、フィルム１６表面（好ましくはフィルム１６のうち日陰面の表面温度）の温度を検出する第２センサとを有していてもよい。これら第１、第２センサは、検出した物理量を示す信号を開閉制御用マイクロコンピュータに出力する。この場合、開閉制御用マイクロコンピュータは、ケーシング１０を閉じているときに、これら第１および第２湿度センサと気温センサの出力信号に基づいて、ケーシング１０を開くタイミングを決定してもよい。
【０１３８】
例えば、開閉制御用マイクロコンピュータは、第１センサから取得した温度および相対湿度から、現在のケーシング１０内の露点温度を算出し、算出した露点温度と第２センサから取得したフィルム１６の表面温度とを比較し、前者が後者を下回ったことに基づいて、ケーシング１０を開くようモータを制御してもよい。これは、ケーシング１０内の露点の方が高い場合に、水蒸気が液滴化するからである。
【０１３９】
なお、フィルム１６の表面温度は、ケーシング１０の外部の気温と比べて、ほとんど同じ温度か、または、やや高い温度となる。より詳しくは、熱伝導率が低い材質でフィルム１６ができていれば、フィルム１６の表面温度はケーシング１０の外部の気温よりもやや高くなり、熱伝導率が高い材質でフィルム１６ができていれば、フィルム１６の表面温度はケーシング１０の外部の気温とほぼ同じになる。
【０１４０】
なお、開閉制御のための開閉制御用マイクロコンピュータ、モータ等の駆動エネルギー源としては、太陽電池、風力発電器を用いてもよいし、波力、水力、原子力、石炭燃焼、ガス燃焼、石油燃焼、地熱等で発電したエネルギーを用いてもよい。すなわち、駆動エネルギーとしては、どのような電力を用いてもよい。
【０１４１】
（第２実施形態）
次に、本発明の第２実施形態について、第１実施形態と異なる部分を中心に説明する。本実施形態が第１実施形態と異なるのは、シート２２の構成およびシート２２の吸湿部２０への固定方法である。図２３および図２４に、本実施形態におけるシート２２を示す。
【０１４２】
本実施形態のシート２２は、吸湿部２０内に１枚だけ配置され、その一枚が九十九折りされて骨格部２１内全体に均等に配置される。また、シート２２の折れ曲り部分のそれぞれの内側には、ワイヤ６５が配置されており、このワイヤ６５が骨格部２１に結び付けられて固定されることで、シート２２の骨格部２１への固定が実現される。
【０１４３】
なお、図２４に示すように、本実施形態においても、吸湿部２０の日向面の法線方向に対する各シート２２の傾きは、太陽光（図２４における矢印）が法線方向に平行に吸湿部２０に照射されたとき、シート２２の日向面側のすべての面が均等に太陽光を受けることができるような角度とする。
【０１４４】
（第３実施形態）
次に、本発明の第３実施形態について、第２実施形態と異なる部分を中心に説明する。本実施形態が第２実施形態と異なるのは、シート２２の吸湿部２０への固定方法である。図２５に本実施形態におけるシート２２を示す。
【０１４５】
本実施形態のシート２２が、吸湿部２０内に１枚だけ配置され、その一枚が九十九折りされて骨格部２１内全体に均等に配置されている点については、第２実施形態と同じである。
【０１４６】
しかし、本実施形態においては、シート２２の折れ曲り部分のそれぞれの内側には、ワイヤ６５ではなく棒（または板）６６が配置されており、これらの棒６６がワイヤ６７に固定されている。そして、このワイヤ６７が骨格部２１に結び付けられて固定されることで、シート２２の骨格部２１への固定が実現される。
【０１４７】
このようなシート２２の取付構造においては、棒（または板）６７は必要になるが、固定冶具を少なくすることができる。
【０１４８】
（第４実施形態）
次に、本発明の第４実施形態について、第１実施形態と異なる部分を中心に説明する。本実施形態が第１実施形態と異なるのは、導水部材２４とシート２２との接続構造、および、シート２２のばたつきを抑える構造である。
【０１４９】
図２６に、本実施形態における吸湿部２０の一部拡大断面図を示す。なお矢印６９は、吸湿部２０の日向面の法線方向を示している。
【０１５０】
本実施形態においては、各シート２２の表面の４点において、当該シート２２に沿って、ばたつき防止ワイヤ６８が配置されている。そしてこのばたつき防止ワイヤ６８は、骨格部２１に固定されている。このようになっていることで、シート２２が強風を受けても、ばたつき防止ワイヤ６８によって補強されているので、大きく変形してしまうことがない。
【０１５１】
また、本実施形態の導水部材２４は、その一部がリング形状となるように形成されており、このリング形状の部分に、シート２２を固定するためのワイヤ６３ｂが通されている。このようになっていることで、導水部材２４が確実に骨格部２１に固定されると共に、シート２２の一端が導水部材２４に接触する。なお、導水部材２４の太さおよび配置は、吸湿部２０を通る空気の流れを制限しないように設定されている。
【０１５２】
（第５実施形態）
次に、本発明の第５実施形態について、第１実施形態と異なる部分を中心に説明する。本実施形態が第１実施形態と異なるのは、二重フィルム１６の開閉機構である。図２７に、本実施形態に係るフィルム１６の開閉機構７０が閉じた状態の斜視図を示し、図２８に、開閉機構７０が閉じた状態の断面図を示し、図２９に、開閉機構７０が開いた状態の断面図を示す。
【０１５３】
この開閉機構７０においては、フィルム１６の枠部材１１側の端部および枠部材１２側の端部には、それぞれ矩形の４辺を構成する口金７２ａ、７２ｂが接着等によって固定されている。これら口金７２ａ、７２ｂの寸法は、それぞれ枠部材１１、枠部材１２と同じである。口金７２ｂは、接着等によって枠部材１２と密着して固定されている。
【０１５４】
また、二重フィルム１６の内側のフィルムと外側のフィルムとの間に、口金７２ａから口金７２ｂまで（すなわち、二重フィルム１６の移動方向に）、一本の骨部材７３が延びている。この骨部材は、矩形が上記移動方向に複数段繰り返される螺旋構造となっている。この骨部材７３の材質は、例えば、ピアノ線のように、弾性力が優れている材料であってもよいし、また例えば、釣竿に用いる材料（グラスファイバー等）のように、軽く丈夫な材料を用いてもよい。
【０１５５】
骨部材７３が形作る矩形の大きさは、口金７２ａから遠ざかるにつれて段階的に大きくなっていき、口金７２ａと口金７２ｂとの中間地点において最大となり、さらに口金７２ｂに近づくにつれて段階的に小さくなっている。すなわち、開閉機構７０は、角型の提灯構造となっている。
【０１５６】
開閉機構７０がこのような提灯構造となっていることで、口金７２ａが口金７２ａに近づいて開閉機構７０が開いた状態、すなわち、フィルム１６が畳まれた状態においては、図２９に示すように、骨部材７３が多重に重ならないので、フィルム１６をより小さく縮めることができる。また、開閉機構７０が提灯構造となっていることで、単なる直方体形状に比べても、外力に対する強度が向上する。また、骨部材７３によってフィルム１６が補強されているので、風が強い時にも、フィルム１６が大きく変形してしまうことを防ぐことができる。また、開閉機構７０の開閉に要する駆動エネルギーを少なくすることができる。
【０１５７】
また、骨格部材７３は、ケーシング１０の枠部材１１およびワイヤーロープ１３といった水滴捕集装置１の骨格材料によって部分的に補強された状態になる。つまり、風が強い時、骨格部材７３がケーシング１０の枠部材１１およびワイヤーロープ１３に接触することで、枠部材１１およびワイヤーロープ１３に支えられ、その結果、風の風圧に耐えることができる。
【０１５８】
また、骨格部材７３が存在していることで、開閉機構７０が閉じた状態、すなわち、フィルム１６が延ばされた状態において、二重フィルム１６の内側のフィルムと外側のフィルムとの間で、断熱性を保つための適適度な間隔が保たれる。
【０１５９】
（第６実施形態）
次に、本発明の第６実施形態について、第５実施形態と異なる部分を中心に説明する。本実施形態が第５実施形態と異なるのは、ケーシング１０の形状および二重フィルム１６の開閉機構である。
【０１６０】
図３０に、本実施形態に係るケーシング１０の斜視図を示す。ただし、図３０においては、フィルム１６およびフィルム１６の開閉機構については図示を省略している。図３０において図１、図２と同じ符号が付された構成部品の特徴は、以下に記載された事項以外については、図１、図２の対応する構成部品の特徴と同じである。
【０１６１】
第１〜第５実施形態においては、図１、図２に示したように、ケーシング１０の外形は、枠部材１１が囲む上面の四角形および枠部材１２が囲む下面の四角形を底面とする四角柱であった。
【０１６２】
これに対し、本実施形態においては、枠部材１１、１２のそれぞれが、五角形の辺を構成し、ケーシング１０の外形は、その２つの五角形を底面とする五角柱となっている。
【０１６３】
また、２つの底面の五角形の角頂点間に、ワイヤーロープ１３が張られている。そして、ワイヤーロープ１３のうち１つ１３ａが、ケーシング１０のうち最も鉛直下部に位置するようになっている。したがって、ケーシング１０が閉じられた状態においては、ケーシング１０に張られたフィルム１６が、このワイヤーロープ１３ａの位置（すなわち吸湿部２０の陰となる位置）において溝形状となる。このため、フィルム１４、１６に付着した液滴は、この溝形状の部分（五角形の先端部分）に沿って効率よく貯蔵槽５０まで流れ込むようになる。
【０１６４】
図３１、図３２に、このケーシング１０における二重フィルム１６の開閉機構８０を示す。図３１は、開閉機構８０が閉じた場合の斜視図であり、図３２は、開閉機構８０が開いた場合の斜視図である。なお、図３１においては、図面手前側の２つの面（日向面および西面）においてのみパイプ８４を図示しているが、実際には、図面奥側の３つの面（２つの日陰面および東面）においても、パイプ８４は配置されている。また、図３２においては、簡単のために、鎖８２、８３の図示を省略している。
【０１６５】
この開閉機構８０においては、フィルム１６の枠部材１１側の端部および枠部材１２側の端部には、それぞれ五角形の辺を構成するパイプ８１ａ、８１ｂが接着等によって固定されている。これらパイプ８１ａ、８１ｂの寸法は、それぞれ枠部材１１、枠部材１２と同じである。パイプ８１ｂは、接着等によって枠部材１２と密着して固定されている。
【０１６６】
また、パイプ８１ａの五角形のうち、最も低い部分以外の４つの頂点のそれぞれから、パイプ８１ｂの対応する４つの頂点のそれぞれまで、金属製、樹脂製等の４本の鎖８２が直線状に延びている。さらに、パイプ８１ａの各部から、パイプ８１ｂの対応する部分まで、金属製、樹脂製等の複数本の鎖８３が、直線状に延びている。この鎖８３は、鎖８２よりも細い。これら鎖８２、８３は、一端においてパイプ８１ａに固定され、他端においてパイプ８１ｂに固定され、かつ、二重フィルム１６の外側のフィルムと内側のフィルムの間に配置されている。
【０１６７】
また、二重フィルム１６の外側のフィルムと内側のフィルムの間において、パイプ８１ａからパイプ８１ｂまでほぼ等間隔に、パイプ８１ａ、８１ｂとほぼ合同の五角形の辺を成すプラスチック製のパイプ８４が配置されている。これらパイプ８４のそれぞれは、鎖８２、８３に固定されることで、ケーシング１０が閉じた状態で下に落ちることなく、互いの間隔を保つことができる。
【０１６８】
そして、ケーシング１０を開放する場合、鎖８２、８３が畳まれ、その結果、パイプ８４の間隔が縮まり、図３２に示すように、フィルム１６が枠部材１２側に集まる。
【０１６９】
図３３に、ケーシング１０の外形を成す五角柱の側面（日向面、日陰面、西面、東面）のみを示す。フィルム１６のうち、吸湿部２０の陰にならず、太陽の照射を最も強く受ける日向面８５およびそれに隣り合う東面８６、西面８７に位置する部分には、光の透過率が高いフィルムを採用する。また、フィルム１６のうち、吸湿部２０によって太陽光が遮られる日陰面８８、８９に位置する部分には、熱伝導性が高いフィルムを採用する。
【０１７０】
なお、パイプ８１ａ、８１ｂ、８４のそれぞれの、日陰面８８、８９に位置する部分には、作動流体が充填されたヒートパイプを採用してもよい。このようにすることで、日陰部分の熱伝導性を高めることができる。このように、日陰になる部分にヒートパイプを設置すると、ケーシング１０の外部の日陰の部分の低温がケーシング１０内に伝わりやすくなり、水蒸気を含有した空気がその低温部分に接触することができるので、効率よく、水蒸気を液滴化することができる。
【０１７１】
また、それらヒートパイプには、ケーシング１０の外側に延びる放熱フィンが取り付けられていてもよい。このようにすることで、日陰部分の熱伝導性を更に高めることができる。
【０１７２】
なお、本実施形態においては、パイプ８４の大きさは一定であるが、これらパイプ８４も提灯構造となっていてもよい。すなわち、これらパイプ８４の大きさは、パイプ８１ａから遠ざかるにつれて段階的に大きくなっていき、パイプ８１ａとパイプ８１ｂとの中間地点において最大となり、さらにパイプ８１ｂに近づくにつれて段階的に小さくなっていてもよい。
【０１７３】
（第７実施形態）
次に、本発明の第７実施形態について、第６実施形態と異なる部分を中心に説明する。本実施形態が第６実施形態と異なるのは、ケーシング１０の構造である。具体的には、本実施形態のケーシング１０は、枠部材１１の外側（すなわち、枠部材１２側と反対の側）および枠部材１２の外側（すなわち、枠部材１１側と反対の側）にも、構造を有している。
【０１７４】
図３４に、本実施形態のケーシング１０における枠部材１１の外側の構造の斜視図を示し、図３５に、本実施形態のケーシング１０における枠部材１２の外側の構造の斜視図を示し、図３６に、ケーシング１０の外形の側面図（図１と同じ方向から見た図）を示す。
【０１７５】
図３４および図３６に示すように、５角形の辺を成す枠部材１１（太線で記載）の外側には、８本の棒状部材（構造部材）１８ａ〜１８ｈが、枠部材１１に取り付けられている。これら棒状部材１８ａ〜１８ｈと枠部材１１とが、７面体の辺を形成する構造となっている。棒状部材１８ａ〜１８ｈとしては、例えば、金属パイプ、樹脂パイプ等を用いてもよい。
【０１７６】
また、本実施形態において枠部材１１の形成する五角形の部分には、フィルムは張られていない。また、上記の７面体のうち、枠部材１１の形成する五角形の面以外の６面の全体に、二重フィルムが張られている。このフィルムの構造および材質は、第６実施形態のフィルム１４と同じである。
【０１７７】
また、図３５および図３６に示すように、５角形の辺を成す枠部材１２（太線で記載）の外側には、８本の棒状部材（構造部材）２８ａ〜２８ｈが、枠部材１２に取り付けられている。これら棒状部材２８ａ〜２８ｈと枠部材１２とが、７面体の辺を形成する構造となっている。棒状部材２８ａ〜２８ｈとしては、例えば、金属パイプ、樹脂パイプ等を用いてもよい。
【０１７８】
また、本実施形態において枠部材１２の形成する五角形の部分には、フィルムは張られていない。また、上記の７面体のうち、枠部材１２の形成する五角形の面以外の６面の全体に、二重フィルムが張られている。このフィルムの構造および材質は、第６実施形態のフィルム１５と同じである。
【０１７９】
本実施形態のケーシング１０は、このような構造となっていることで、以下のような作用を得ることができる。ケーシング１０が閉じられたとき、吸湿部２０から放出された水蒸気を含む空気が、図３６の矢印６に示すように上昇したとき、棒状部材１８ａ、１８ｂ、１８ｃおよび枠部材１１に囲まれる面が、空気の流れ６に対して直角ではなく斜めになっているので、矢印７のように、空気の流れが澱むことなく、空気がスムースに日陰面に回り込むようになる。すなわち、ケーシング１０の上側端部の日向面寄りの面（棒状部材１８ａ、１８ｂ、１８ｃおよび枠部材１１に囲まれる面）が、ケーシング１０の長手方向に対して斜めになっていることで、空気がスムースに流れる。
【０１８０】
また、枠部材１２の外側（すなわち、枠部材１１側と反対の側）にも、枠部材１１の外側と同じ構造を設けるようになっていることで、日陰面で水蒸気を液滴化した空気が吸水部材２３の下側に確実に運ばれるようになる。
【０１８１】
なお、ケーシング１０は、枠部材１１の外側の上記構造と、枠部材１２の外側の上記構造のうち、枠部材１１の外側の上記構造のみを有していてもよい。その場合、枠部材１２の形成する五角形には、フィルム１５が張られている。
【０１８２】
（第８実施形態）
次に、本発明の第８実施形態について、第７実施形態と異なる部分を中心に説明する。本実施形態が第７実施形態と異なるのは、ケーシング１０の構造である。具体的には、本実施形態のケーシング１０の内部のうち、枠部材１１から枠部材１２までの空間は、フィルムによって、蒸発部、液滴化部の２つに仕切られている。
【０１８３】
図３７に、本実施形態の二重フィルム１６の開閉機構８０を、図３１と同じ形式で示す。なお、図３１と図３７で同じ符号が付されているものは、以下に別途説明しない限り、それぞれ同じ構成および機能を有する。
【０１８４】
本実施形態の開閉機構８０においては、パイプ８１ａのうち日陰面の端部に当たる２つの頂点を結ぶパイプ９１が、パイプ８１ａに固定され、また、パイプ８１ｂのうち日陰面の端部に当たる２つの頂点を結ぶパイプ９２が、パイプ８１ｂに固定されている。
【０１８５】
図３８に、パイプ９１とパイプ９２の間にあると共にかつパイプ９１とパイプ９２とを含む面におけるケーシング１０の構成を示す。また、ケーシング１０が閉じている状態において図３８のＡ−Ａ断面でケーシング１０および吸湿部２０を切ったときの断面図を、図３９に示し、ケーシング１０が開いている状態において図３８のＡ−Ａ断面でケーシング１０および吸湿部２０を切ったときの断面図を、図４０に示す。ただし、簡単のため、図３９および図４０においては、吸湿部２０の内部構造の記載は省略している。
【０１８６】
この図３８〜４０に示す通り、パイプ９１とパイプ９２の間の全面に、フィルム９５が張られている。このフィルム９５によって、ケーシング１０の日向面と二重フィルム９５との間の空間（すなわち、蒸発部）と、二重フィルム９５とケーシング１０の日陰面との間の空間（すなわち、液滴化部）とが仕切られて分離することになる。
【０１８７】
このフィルム９５は、フィルム１６と同じ材料から成っており、また、フィルム１６と同様、２枚のフィルムが０．１〜５ｍｍ程度の間隔を開けて重なった二重フィルムである。なお、二重フィルム９５のうち、ケーシング１０の日陰面に近い方のフィルムの日陰面側の面には、液滴化を加速する表面処理剤（例えば撥水材料）の膜が形成されていてもよいし、液滴化を加速する表面処理剤が練り込まれていてもよい。なお、二重フィルム９５は、透光性を有していなくてもよい。
【０１８８】
また、パイプ９１の複数の部分から、パイプ９２のそれぞれ対応する部分まで、金属製、樹脂製等の複数本の鎖９３が、直線状に延びている。この鎖９３は、鎖８２よりも細い。この鎖９３は、一端においてパイプ９１に固定され、他端においてパイプ９２に固定され、かつ、二重フィルム９５の外側のフィルムと内側のフィルムの間に配置されている。
【０１８９】
また、二重フィルム９５の外側のフィルムと内側のフィルムの間において、パイプ９１からパイプ９２までほぼ等間隔に、パイプ９１、９２に平行に、プラスチック製のパイプ９４が複数配置されている。
【０１９０】
これらパイプ８４のそれぞれは、鎖８２、９３に固定されることで、図３９に示すようなケーシング１０が閉じた状態で下に落ちることなく、互いの間隔を保つことができる。そして、ケーシング１０を開放する場合、図４０に示すように、鎖８２、９３が畳まれ、その結果、パイプ９４の間隔が縮まり、フィルム１６が枠部材１２側に集まる。
【０１９１】
また、吸湿部２０は、フィルム９５と日向面側のフィルムとの間の位置に、図示しない固定部材によって、ケーシング１０に対して固定されている。
【０１９２】
したがって、図３９に示すようにケーシング１０が閉じた状態においては、蒸発部は、吸湿部２０が直接太陽光を受けることで高温となり、他方、液滴化部は、太陽光を直接受けないことと、二重フィルム９５が断熱材の役割を果たすことの相乗効果により、蒸発部に比べて温度が非常に低くなる。
【０１９３】
その結果、液滴化部においては、吸湿部２０から図３９の矢印９６のように回り込んだ空気が過飽和状態になり、二重フィルム１６、９５の表面に液滴が付着する。そして、二重フィルム１６、９５の表面には液滴化を加速する表面処理が施されているので、液滴化が促進され、効率よく貯蔵槽５０に水滴が流れ落ちる。そして、含んでいる水蒸気が液滴化した後の空気は、矢印９７に示すように蒸発部の吸湿部２０に戻る。
【０１９４】
（第９実施形態）
次に、本発明の第９実施形態について、第１実施形態と異なる部分を中心に説明する。本実施形態が第１実施形態と異なるのは、第１実施形態においては、ケーシング１０が閉じられたとき、実質的にケーシング１０内の空気が閉じこめられた状態にあればよいのであって、必ずしもケーシング１０を完全に密閉する必要はなく、空気の実質的な閉じこめを阻害しない程度の微少な隙間がフィルム１６の枠部材１１側端部にあってもよかった。
【０１９５】
しかし、フィルム１６の枠部材１１側端部における隙間が小さいほど、実質的な閉じこめ効果が高いことは確かである。そこで、本実施形態の水滴捕集装置１は、ケーシング１０が閉じられたとき、ケーシング１０内の密閉度を向上するための構成を備えている。
【０１９６】
図４１および図４２に、ケーシング１０と吸湿部２０の南北方向と鉛直方向を含む面による断面およびケーシング１０の開閉のための構成を示す。ただし、簡単のために、吸湿部２０の内部構造の記載は省略している。図４１は、フィルム１６を枠部材１１の方向に移動している途中の状態を示し、図４２は、フィルム１６によるケーシング１０の閉鎖が完了した状態を示している。
【０１９７】
本実施形態の水滴捕集装置１は、既述の通り、張力調整された状態のワイヤーロープ１３にフィルム１６をリング５５で吊るすことで、フィルム１６が移動可能な状態で保持される。そして、水滴捕集装置１は、フィルム１６の枠部材１１側端部に結びつけられた４つのロープ９８ａ、９８ｂ、９９ａ、９９ｂ、および、これらロープを巻き取るための４つのモータ１００ａ、１００ｂ、１０１ａ、１０１ｂを有している。
【０１９８】
ロープ９８ａ、９８ｂは、フィルム１６の日向面の端部に結びつけられ、ロープ９８ａはモータ１００ａによって巻き取られるようになっており、ロープ９８ｂはモータ１００ｂによって巻き取られるようになっている。また、ロープ９９ａ、９９ｂは、フィルム１６の日陰面の端部に結びつけられ、ロープ９９ａはモータ１０１ａによって巻き取られるようになっており、ロープ９９ｂはモータ１０１ｂによって巻き取られるようになっている。
【０１９９】
また、水滴捕集装置１は、これらモータを制御するマイクロコンピュータ（図示せず）を有している。このマイクロコンピュータによるケーシング１０の開閉のタイミングの決定方法は、第１実施形態に記載した通りである。
【０２００】
以下、図４１および図４２を参照して、ケーシング１０を閉じる場合のマイクロコンピュータの制御内容について説明する。マイクロコンピュータは、ケーシング１０を閉じるタイミングであると判定すると、モータ１００ａ、１０１ａを制御して、ロープ９８ａ、９９ａを巻き取らせる。すると、図４１に示すように、モータ１００ａ、１０１ａは、ロープ９８ａ、９９ａを、枠部材１２から枠部材１１の方向に巻き取り、フィルム１６も、ロープ９８ａ、９９ａに引っ張られて、端部が枠部材１１側に移動する。その結果、ケーシング１０が徐々に閉じられていく。
【０２０１】
そして、マイクロコンピュータは、フィルム１６の枠部材１１側端部が枠部材１１の位置を越える量としてあらかじめ定められたモータ１００ａ、１０１ａの回転量だけ、モータ１００ａ、１０１ａを回転させると、モータ１００ａ、１０１ａを停止させる。これによって、フィルム１６の枠部材１１側端部の移動が停止する。
【０２０２】
続いてマイクロコンピュータは、モータ１００ｂ、１０１ｂを制御して、ロープ９８ｂ、９９ｂを巻き取らせる。すると、図４２に示すように、モータ１００ｂ、１０１ｂは、ロープ９８ｂ、９９ｂを、枠部材１２から枠部材１１の方向に対してほぼ直角に巻き取り、フィルム１６は、ロープ９８ａ、９９ａに引っ張られて、枠部材１１に巻き付く方向に移動する。
【０２０３】
このようにすることで、フィルム１６が枠部材１１に密着し、その結果、ケーシング１０が密閉される（より正確には、ケーシング１０の密閉度が向上する）。その後、マイクロコンピュータは、モータ１００ａ、１０１ａを逆回転させ、ロープ９８ａ、９９ａを放出してもよい。これによって、フィルム１６の枠部材１１側端部は、ロープ９８ｂ、９９ｂによって引っ張られた状態で停止したまま、ロープ９８ａ、９９ａが撓む。
【０２０４】
なお、本実施形態においては、ケーシング１０を開放するためにフィルム１６の枠部材１１側端部を枠部材１２側に移動させるための構成（例えば、フィルム１６の枠部材１１側端部に繋がれたロープ、および、当該ロープを枠部材１２の方向に引っ張るモータ）は、別途有しているものとする。また、本実施形態のような密閉のための方法は、第２〜第８実施形態にも適用可能である。
【０２０５】
（第１０実施形態）
次に、本発明の第１０実施形態について、第９実施形態と異なる部分を中心に説明する。本実施形態が第９実施形態と異なるのは、ケーシング１０が閉じられたときのケーシング１０内の密閉度を向上するための構成である。
【０２０６】
図４３に、ケーシング１０と吸湿部２０の南北方向と鉛直方向を含む面による断面およびケーシング１０の開閉のための構成を、図４１、図４２と同じ形式で示す。この図４３は、フィルム１６によるケーシング１０の密閉が完了した状態を示している。なお、図４３と図４２において同じ符号が付された構成物は、互いに同じ機能を有している。
【０２０７】
本実施形態の水滴捕集装置１は、第９実施形態に示したロープ、モータのうち、フィルム１６の枠部材１１側端部を枠部材１２から枠部材１１の方向に移動させるためのロープ９８ａ、９９ａおよびモータ１００ａ、１０１ａを有している。さらに本実施形態の水滴捕集装置１は、枠部材１１の矩形の全周に接着等で固定された磁石（フレキシブル磁石または固形磁石）５６ａ、５６ｂを有している。
【０２０８】
また、フィルム１６の枠部材１１側端部の全周にも、磁石（フレキシブル磁石または固形磁石）５８が接着等で固定されている。
【０２０９】
以下、図４３を参照して、ケーシング１０を閉じる場合のマイクロコンピュータの制御内容について説明する。マイクロコンピュータは、ケーシング１０を閉じるタイミングであると判定すると、モータ１００ａ、１０１ａを制御して、ロープ９８ａ、９９ａを巻き取らせる。すると、モータ１００ａ、１０１ａは、ロープ９８ａ、９９ａを、枠部材１２から枠部材１１の方向に巻き取り、フィルム１６も、ロープ９８ａ、９９ａに引っ張られて、端部が枠部材１１側に移動する。その結果、ケーシング１０が徐々に閉じられていく。
【０２１０】
そして、マイクロコンピュータは、フィルム１６の枠部材１１側端部が枠部材１１の位置を越える量としてあらかじめ定められたモータ１００ａ、１０１ａの回転量だけ、モータ１００ａ、１０１ａを回転させると、モータ１００ａ、１０１ａを停止させる。これによって、フィルム１６の枠部材１１側端部の移動が停止する。
【０２１１】
すると、枠部材１１に取り付けられた磁石５６と、フィルム１６の端部に取り付けられた磁石５８とが互いに引き合う。この引き合う力によって、フィルム１６が枠部材１１に密着し、その結果、ケーシング１０が密閉される（より正確には、ケーシング１０の密閉度が向上する）。
【０２１２】
その後、マイクロコンピュータは、モータ１００ａ、１０１ａを逆回転させ、ロープ９８ａ、９９ａを放出してもよい。これによって、フィルム１６の枠部材１１側端部は、磁石５６よって引っ張られた状態で停止したまま、ロープ９８ａ、９９ａが撓む。
【０２１３】
なお、本実施形態のような密閉のための方法は、第２〜第８実施形態にも適用可能である。
【０２１４】
（第１１実施形態）
次に、本発明の第１１実施形態について、第１０実施形態と異なる部分を中心に説明する。本実施形態が第１０実施形態と異なるのは、ケーシング１０が閉じられたときのケーシング１０内の密閉度を向上するための構成である。
【０２１５】
図４４に、ケーシング１０と吸湿部２０の南北方向と鉛直方向を含む面による断面およびケーシング１０の開閉のための構成を、図４３と同じ形式で示す。この図４４は、フィルム１６によるケーシング１０の密閉が完了した状態を示している。なお、図４４と図４３において同じ符号が付された構成物は、互いに同じ機能を有している。
【０２１６】
本実施形態の水滴捕集装置１は、第１０実施形態で示した磁石は有していない。そして、フィルム１６の水滴捕集装置１側端部の全周には、収縮性ゴム５７が固定されている。
【０２１７】
以下、図４４を参照して、ケーシング１０を閉じる場合のマイクロコンピュータの制御内容について説明する。マイクロコンピュータは、ケーシング１０を閉じるタイミングであると判定すると、モータ１００ａ、１０１ａを制御して、ロープ９８ａ、９９ａを巻き取らせる。すると、モータ１００ａ、１０１ａは、ロープ９８ａ、９９ａを、枠部材１２から枠部材１１の方向に巻き取り、フィルム１６も、ロープ９８ａ、９９ａに引っ張られて、端部が枠部材１１側に移動する。その結果、ケーシング１０が徐々に閉じられていく。
【０２１８】
そして、マイクロコンピュータは、フィルム１６の枠部材１１側端部が枠部材１１の位置を越える量としてあらかじめ定められたモータ１００ａ、１０１ａの回転量だけ、モータ１００ａ、１０１ａを回転させると、モータ１００ａ、１０１ａを停止させる。これによって、フィルム１６の枠部材１１側端部の移動が停止する。
【０２１９】
すると、フィルム１６の端部に取り付けられた収縮性ゴム５６が縮み、その結果、フィルム１６の端部が枠部材１１に引っかかる。この引っかかりによって、フィルム１６が枠部材１１に密着し、その結果、ケーシング１０が密閉される（より正確には、ケーシング１０の密閉度が向上する）。
【０２２０】
その後、マイクロコンピュータは、モータ１００ａ、１０１ａを逆回転させ、ロープ９８ａ、９９ａを放出してもよい。これによって、フィルム１６の枠部材１１側端部は、磁石５６によって引っ張られた状態で停止したまま、ロープ９８ａ、９９ａが撓む。
【０２２１】
なお、本実施形態のような密閉のための方法は、第２〜第８実施形態にも適用可能である。
【０２２２】
（第１２実施形態）
次に、本発明の第１２実施形態について、第１実施形態と異なる部分を中心に説明する。本実施形態が第１実施形態と異なるのは、ケーシング１０を開閉するときのフィルム１６の移動方法である。
【０２２３】
図４５に、本実施形態に係るケーシング１０の構成を斜視図で示す。なお、図４５では、ケーシング１０は開いた状態にある。本実施形態の枠部材１１および枠部材１２の配置は、第１実施形態と同様である。また、枠部材１１が４辺を成す矩形内には、第１実施形態と同様のフィルム１４が張られており、枠部材１２が４辺を成す矩形内には、第１実施形態と同様のフィルム１５が張られている。
【０２２４】
ただし、本実施形態のケーシング１０は、図２に示したワイヤーロープ１３が配置されていない。また、枠部材１１および枠部材１２の全周には、矩形の外側を向いたレール溝が形成されている。
【０２２５】
また、図４５に示すように、本実施形態のフィルム１６は、ケーシング１０が開いている場合は、枠部材１１の端部から枠部材１２の端部の方向に延びる棒状の軸３０の周りに巻き取られるようになっている。この軸３０は、図示しないモータ（以下軸制御モータという）を動力源として回転可能となっている。また、この軸制御モータは、図示しないマイクロコンピュータによって制御される。このマイクロコンピュータによるケーシング１０の開閉のタイミングの決定方法は、第１実施形態に記載した通りである。
【０２２６】
本実施形態のフィルム１６の構造および材質は、第１実施形態と同じである。ただし、フィルム１６の表面のうち、ケーシング１０が閉じたときにケーシング１０の内部に面する側には、２本のレール３１、３２が接着等で固定されている。このレール３１、３２は、それぞれフィルム１６の枠部材１１に近い側の端部および枠部材１２に違い側の端部に、互いに平行に配置されている。そしてこれらレール３１、３２は、フィルム１６の曲げに従って変形するようなフレキシブルな素材（例えば樹脂）から成っている。
【０２２７】
このレール３１、３２は、それぞれ枠部材１１および枠部材１２のレール溝に摺動自在に嵌っている。図４６に、レール３１、３２がレール溝に嵌っている部分を、レール３１、レール３２に垂直な面で切った断面図を示す。なお、この断面図においては、フィルム１４、１５、１６の構造は簡略化して記載している。
【０２２８】
また、フィルム１６の表面のうち、レール３１、３２が取り付けられている面には、２本のロープ３４、３５が取り付けられている。ロープ３４は、レール３１よりもフィルム１６の端側に、レール３１に平行に取り付けられ、ロープ３５は、レール３２よりもフィルム１６の端側に、レール３２に平行に取り付けられている。
【０２２９】
ロープ３４、３５のフィルム１６への取り付けは、具体的には、図４６に示すように、フィルム１６の端をまるめて穴を形成し、その穴にロープ３４、ロープ３５を通すことで実現する。そして、このロープ３４、３５の一端は、フィルム１６の角部からフィルム１６の外部に露出しており、この露出した側の端部において、図示しないモータ（以下、ロープ用モータという）に巻き付いている。このロープ用モータは、上記のマイクロコンピュータによって制御され、ロープ３４、３５を巻き取ることができるようになっている。
【０２３０】
以下、このようなケーシング１０の開閉の作動について、図４７〜４９を参照して説明する。図４７〜４９は、レール３１、３２がレール溝に沿って進むことで、フィルム１６が枠部材１１、枠部材１２にシャッターのように巻き付いていく過程を示す斜視図である。
【０２３１】
まず、マイクロコンピュータが、ケーシング１０を閉じるタイミングであると判定すると、軸制御モータを制御して、フィルム１６を軸３０から送り出す方向に軸３０を回転させ始める。この際、ロープ３４、３５は、ロープ用モータによって巻き取られていない。
【０２３２】
すると、図４７に示すように、レール３１、３２が軸３０の送り出し向きの回転によってフィルム１６と共に押し出され、それぞれ枠部材１１、１２のレール溝を進行する。これに伴って、フィルム１６がケーシング１０の日陰面を覆っていく。
【０２３３】
軸３０の送り出し方向の回転は更に持続し、図４８に示すように、フィルム１６は、東面側の枠部材１１、１２を通って日向面にまで進み、日向面も覆う。
【０２３４】
さらに軸３０の送り出し方向の回転は持続し、フィルム１６がケーシング１０の外周を一周し、ケーシング１０が閉じられる程度にフィルム１６が移動するための回転数としてあらかじめ定められた回転数だけ、軸制御モータが回転した時点で、マイクロコンピュータは、軸制御モータの回転を停止させる。この状態においては、図４０に示すように、ケーシング１０がフィルム１６によって閉じられた状態となる。
【０２３５】
続いてマイクロコンピュータは、ロープ用モータを制御して、ロープ３４、３５を巻き取らせる。すると、ロープ３４、３５は、ロープ用モータの方向に引っ張られ、それによって、フィルム１６の枠部材１１側の端部および枠部材１２側の端部が、それぞれロープ３４、３５によって絞られて引き締められる。これによって、フィルム１６の端部が収縮し、その結果、フィルム１６と枠部材１１、１２との間の隙間がなくなり、ケーシング１０の密閉度が高くなる。
【０２３６】
このように、軸３０、枠部材１１、１２のレール溝、レール３１、３２を有するシャッター機構により、フィルム１６を移動させてケーシング１０を開閉することができる。なお、軸３０に巻き取られたフィルム１６を収納する箱部材を、軸３０の周りに設置してもよい。
【０２３７】
また、本実施形態の場合、フィルム１６として、透明なガラス（または透明な樹脂）の板材を用いてもよい。その場合、レール溝に沿って進行する際にフィルム１６が変形可能なように、透明なガラス（または透明な樹脂）の板材は、ある間隔で折り曲がる構造を有するようにする。
【０２３８】
なお、本実施形態においても、第１０実施形態で示した磁石の磁力で密閉度を高める技術をさらに適用してもよいし、第１１実施形態で示した収縮性のゴムの力で密閉度を高める技術をさらに適用してもよい。
【０２３９】
（第１３実施形態）
次に、本発明の第１３実施形態について、第１実施形態と異なる部分を中心に説明する。図５０に、本実施形態に係る水滴捕集装置１の構成を模式的に示す。本実施形態の水滴捕集装置１が第１実施形態の水滴捕集装置１と異なるのは、本実施形態の水滴捕集装置１が、壁１１１、断熱材１１２、ヒートパイプ１１５、フィン１１６、フィン１１７、およびパイプ５３を備えていることである。
【０２４０】
本実施形態の吸湿部２０は、第１実施形態の吸湿部２０と同じものである。また、本実施形態のケーシング１０も、第１実施形態の水滴捕集装置１と同じものである。ただし、枠部材１１（図２参照）にはフィルム１４が張られておらず、また、枠部材１２に張られたフィルム１４の一部には、通気口が設けられている。
【０２４１】
壁１１１は、ケーシング１０の枠部材１１側端部（すなわち上側端部）に延設され、ケーシング１０内の空間と常時連通する冷却部１１３を囲むようになっている。また、壁１１１は、ケーシング１０と反対側の方向の上方および下方に、開口部を有している。上方の開口部は、外部の地上空間と連通しており、下方の開口部は、パイプ５３と連通している。貯蔵槽５０の一部であるパイプ５３は、タンク５１と連通している。
【０２４２】
また、枠部材１１の上方には、太陽の光を遮るための断熱材１１２が設けられており、この断熱材１１２と壁１１１との間に空間（以下、放熱部１１４という）ができる。断熱材１１２が太陽光を遮ることで、冷却部１１３および放熱部１１４は、太陽に当たらない日陰となる。
【０２４３】
このように、断熱材１１２は、太陽熱のエネルギーを断熱し、陰になった部分の温度を低下させるように作用する。この断熱材１１２としては、公知の材質を用いることができる。ただし、この断熱材１１２は屋外で大気に晒され、かつ、雨、風、雪、霜にも晒されるので、耐久性があるものが好ましい。例えば、水酸化カルシウム、アルミナ繊維、カーボンファイバーのフェルト材料、ウレタンフォーム、発泡スチロール、スタイロホーム、発泡ウレタン、発泡樹脂材料、木材、コルク材、レンガ、タイルなどが適する。
【０２４４】
また、複数本のヒートパイプ１１５は、壁１１１を貫いて、冷却部１１３と放熱部１１４とに跨って設置されている。そして、これらヒートパイプ１１５には、冷却部１１３側において、フィン１１６が取り付けられ、放熱部１１４側においても、フィン１１７が取り付けられている。
【０２４５】
以下、このような構成の水滴捕集装置１の作動について説明する。本実施形態の水滴捕集装置１も、第１実施形態の水滴捕集装置１と同様、一日の気温の温度差により発生する湿度変化を利用して大気中の水分を吸収すると共に、ケーシング１０内部において太陽光の当たる日向と太陽光の当たらない日陰との間の温度差、および、一日の気温の温度差を利用して、水蒸気を凝縮して液滴化するようになっている。
【０２４６】
まず、夕方または夜間になると、第１実施形態と同様にケーシング１０が開いた状態にされる。開くタイミングの決定および実際に開ける作動は、第１実施形態と同じである。
【０２４７】
ケーシング１０が開放されると、ケーシング１０の内部は大気と連通し、ケーシング１０の外部と内部の相対湿度は同一になる。そして、外気温の低下に伴い相対湿度が上昇し、相対湿度が基準湿度を超えると、吸水部材２３がケーシング１０の内部に導入された空気中の水蒸気を吸収する。
【０２４８】
その後、朝または昼になると、ケーシング１０が閉じた状態にされる。閉じるタイミングの決定および実際に閉じる作動は、第１実施形態と同じである。
【０２４９】
ケーシング１０が閉じられた後、ケーシング１０および吸湿部２０に太陽光が当たると、ケーシング１０内部の温度が上昇し、ケーシング１０の外部の気温よりも高くなる。このケーシング１０内の温度上昇に伴い、吸湿部２０の周囲の相対湿度が低下する。すると、吸水部材２３に吸着された水分は蒸発して水蒸気になり、ケーシング１０の内部に放出される。
【０２５０】
蒸発した大量の水蒸気は、ケーシング１０内で加熱された空気と共に上昇し、ケーシング１０の日向面に到達する。すると、この高温の空気の一部は、図１の矢印４に示すように、ケーシング１０の日向面に沿って上昇してケーシング１０の上面に移動する、他の一部は、ケーシング１０の日向面に沿って水平方向（すなわち、図１の紙面に垂直な方向）に移動して、矢印１２３に例示するように、ケーシング１０の西面および東面に到達する。
【０２５１】
そして、上昇した空気の一部を補うように、ケーシング１０の下面に空けられた通気口を通って、矢印１２１に示すように、ケーシング１０の外部から空気が流入する。
【０２５２】
ケーシング１０の西面および東面においては、直射日光を受けている吸湿部２０の周囲に比べて、温度が低くなっている。したがって、ケーシング１０の西面および東面に到達した空気は冷やされて過飽和状態となり、空気中の水蒸気が結露し、液滴化する。その結果、ケーシング１０の西面および東面のフィルム１６に水滴が付着する。そして、この水滴はフイルム１６に沿って流れ落ち、さらにパイプ５２を通って最終的にタンク５１内に捕集される。
【０２５３】
一方、ケーシング１０の上面（フィルムが張られていない）に移動した空気の一部は、矢印１２２に示すように、日陰の冷却部１１３に流入する。そして、ヒートパイプ１１５およびフィン１１６、１１７の作用により、冷却部１１３の熱は、放熱部１１４に放出され、その結果、冷却部１１３に流入した空気の温度が低下し、その結果空気が過飽和状態になる。それにより、冷却部１１３内で水蒸気が液滴化し、壁１１１、フィン１１６に水滴が付着する。そして、それら水滴は滴り落ち、パイプ５３を通ってタンク５１に捕集される。冷却部１１３に入って液滴を放出した空気は、上方の開口部から外部に抜け出る。
【０２５４】
一方、ケーシング１０の西面および東面に移動して冷やされた空気は、矢印１２４に示すように下降し、ケーシング１０の日陰面に回り込む。ケーシング１０の日陰面では、吸湿部２０によって太陽光が遮られる。したがって、ケーシング１０内の温度上昇も少なく、かつ、日陰面の直下の外気も日陰となっているので温度が低いので、ケーシング１０の日陰面の温度が低く抑えられる。したがって、日陰面の温度は、日向面側に比べて温度が低いばかりではなく、ケーシング１０の西面および東面の部分に比べても温度が低い。
【０２５５】
それ故、ケーシング１０の西面および東面から日陰面に周り込んだ空気は更に冷やされ、空気中の水蒸気が過飽和状態となって結露し、液滴化する。その結果、ケーシング１０の日陰面のフィルム１６に水滴が付着する。そして、この水滴はフイルム１６に沿って流れ落ち、さらにパイプ５２を通って最終的にタンク５１内に捕集される。
【０２５６】
なお、日向面側から日陰面側に回り込んで冷えた空気は、日陰面に沿って矢印５のように下降し、対流に押し上げられて再度吸水部材２３の周辺に戻り、直射日光を受けている吸湿部２０加熱され、吸水部材２３から放出された水蒸気をさらに含んで上昇する。
【０２５７】
このように、日中の太陽光が当たっている場合においては、吸水部材２３から水蒸気が放出され、水蒸気を含んだ空気が上昇することで、ケーシング１０の下部から外気が流入し、流入した空気が熱せられて水蒸気を含んで上昇し、冷却部１１３に入って冷やされて液滴を放出し、冷却部１１３から外部に抜け出るという現象が継続する。
【０２５８】
また、日中の太陽光が当たっている場合においては、空気の一部はケーシング１０の日向面と日陰面とを循環する。したがって、吸湿部２０周辺で発生した水蒸気が、空気によって日向面まで上昇し、ケーシング１０の西面および東面を通って日陰面まで運ばれ、西面および東面および日陰面で液滴化するというサイクルが繰り返される。これにより、ケーシング１０内における、吸湿部２０周辺の温度、西面および東面周辺の温度、日陰面周辺の温度の差を利用して、水蒸気を液滴化して捕集することができる。
【０２５９】
なお、水蒸気を含んだ空気が日向面から西面および東面を通って日陰面に到達し、さらに吸水部材２３に戻ることができるのは、吸湿部２０とケーシング１０との間に隙間が設けられているからである。
【０２６０】
このように、ケーシング１０内における位置による温度差を利用して液滴化することで、夜間に吸水部材２３が捕集した水蒸気を液滴にすることができる。
【０２６１】
以上のように、本実施形態の水滴生成装置によれば、大気の相対湿度が高いときにケーシング１０を開放することで、吸水部材２３に水分を吸収させ、また、太陽光がケーシング１０に照射されているときにケーシング１０を閉じることで、ケーシング１０内の温度を上昇させて吸水部材２３に水分を放出させ、また、ケーシング１０内部の太陽光の当たる側、太陽光の当たらない側の温度差を利用して、効率的にケーシング１０内の水蒸気を液滴化させることができる。このため、ケーシング１０の開閉だけで自然に発生する温度差を利用して、大気中の水蒸気を回収して水滴を得ることができる。
【０２６２】
また、雨が降っている場合、露ができる場合、霧がある場合も、ケーシング１０を開放するようになっていてもよい。その場合、雨、露、霧は、吸水部材２３およびシート２２に吸収されるが、吸収し切れない余分な水は、滴り落ちて、吸水部材２３の直下に取り付けられた導水部材２４に捉えられ、導水部材２４を伝って、タンク５１に導かれる。また、吸水部材２３が夜の間に吸収した多量の水が、太陽光が当たる初期段階で、液滴として雫のように流れ落ちて導水部材２４に捉えられ、導水部材２４を伝って、タンク５１に導かれる場合もある。
【０２６３】
ここで、本実施形態のような水滴捕集装置１を用いて捕集できる水量（すなわち液滴化量）の一具体例を示す。この具体例においては、日本のある夏の日を例に取っている。そして、その日の明け方（午前５時）において、ケーシング１０の日向面のすぐ外側（以下、単に日向外気という）の気温が２４℃、相対湿度が約８０〜９５％であり、ケーシング１０の日陰面のすぐ外側（以下、単に日陰外気という）の気温が２４℃、相対湿度約８０〜９５％であったとする。また、その日の日中の最高気温時（午後２時）においては、日向外気の気温が３５℃、相対湿度が約３０％であり、日陰外気の気温が２８〜２９℃、相対湿度が約４０％であったとする。また、その日の夕方（午後７時３０分）においては、日向外気の気温が２８℃、相対湿度が約５０％、であり、日陰外気の気温が２６℃、相対湿度が約５０％であったとする。そして、シート２２および吸水部材２３は、一日で放出できる量を超える十分な量の水蒸気を前日に吸収しているものとする。また、この例においては、冷却効率が１００％であるとして計算を行っている。
【０２６４】
この日、太陽が昇って太陽光が吸湿部２０に照射されると、熱せられたシート２２および吸水部材２３から水蒸気が放出される。実際の計測によれば、ケーシング１０の外側の日向側の気温が３５℃のとき、ケーシング１０内の温度は、日陰面側が約２８℃から２９℃であるが、吸湿部２０の太陽が当たる部分は、約６０℃にまで上り、相対湿度は４０〜５０％となる。
【０２６５】
この場合、ケーシング１０の下端部から、温度２９℃、相対湿度約４０％の空気が流入する。そして、その空気が、吸湿部２０において、太陽熱により、温度約６０℃、相対湿度５０％まで加熱される。この場合、空気中に含有できる水蒸気量は、空気１Ｋｇ当たりおよそ０．０５〜０．０６Ｋｇである。
【０２６６】
その後、空気はケーシング１０内を上昇して冷却部１１３に入り、約４０〜４５℃程度まで冷却され、相対湿度１００％になる。さらに冷却部１１３で空気は冷却され、温度２９℃、湿度１００％となる。この場合、空気中に含有できる水蒸気量は、空気１Ｋｇ当たり約０．０２６Ｋｇとなるので、過飽和状態となり、液滴が生成される。すなわち、０．０５〜０．０６Ｋｇから約０．０２６Ｋｇを差し引いた液滴化量：０．０２４〜０．０３４Ｋｇの液滴が、１Ｋｇの空気から放出される。
【０２６７】
液滴化されずに空気中に残った水蒸気量（空気１Ｋｇ当たり約０．０２６Ｋｇ）は、冷却部１１３の上側の開口部から大気中に放出される。
【０２６８】
具体的な実験例では、４ｍ２のシート２２に目付け量２００ｇ／ｍ２の吸水部材２３を付着させた場合、夜間にその吸水部材２３は約５００ｇの水蒸気を吸収し、昼間は太陽熱によって約３５０ｇの水蒸気を放出した、そして、放出した約３５０ｇの水蒸気のうち、約２００ｇが液滴化し、残りは大気に放出された。
【０２６９】
ここで、本実施形態による水の捕集効果と、第１実施形態における水の捕集効果とを比較する。第１実施形態においては、ケーシング１０が閉じられた状態において、空気がケーシング１０内に閉じ込められるので、密閉された空気は、太陽が当たる間、ケーシング１０内を循環するので、より多くの水蒸気を得ることができる。
【０２７０】
第１実施形態の場合、日向外気の温度が最高気温約３５℃、相対湿度約３０％の時、閉じ込められたケーシング１０内の吸水部材２３付近の空気の温度は、約７０℃、相対湿度４０〜５０％になる。この空気は、空気１Ｋｇ当たり０．０７〜０．０８Ｋｇの水蒸気を含有する。
【０２７１】
この７０℃という温度は、第１３実施形態のように空気が閉じ込められない場合（具体的には、温度２９℃、相対湿度１００％の空気が大気中に放出される場合）よりも、約１０℃高い。これは、第１実施形態においてはケーシング１０内で空気が循環しているので、第１３実施形態のように外部から空気を取り入れる場合よりも高温になり易いからである。
【０２７２】
この場合、循環する空気は、吸湿部２０において、太陽熱により、温度約７０℃、相対湿度４０％〜５０％まで加熱される。この場合、空気中に含有できる水蒸気量は、空気１Ｋｇ当たり約０．０７〜０．０８Ｋｇである。
【０２７３】
その後、空気はケーシング１０内を移動して日陰面で冷却され、約５０℃で相対湿度約１００％となる。さらに空気は温度２９℃、湿度１００％まで冷却されると空気中に含有できる水蒸気量は、空気１Ｋｇ当たり約０．０２６Ｋｇとなるので、過飽和状態となり、液滴が生成される。
【０２７４】
さらに夕方になって、ケーシング１０内の空気の温度が２６℃まで下がると、空気中に含有できる水蒸気量が、空気１Ｋｇ当たり０．０２２Ｋｇとなり、更に液滴化が進む。その結果、空気１Ｋｇ当たり０．０３８〜０．０４８Ｋｇの液滴を作ることができる。
【０２７５】
具体的な実験例では、４ｍ２のシート２２に目付け量２００ｇ／ｍ２の吸水部材２３を付着させた場合、夜間にその吸水部材２３は約５００ｇの水蒸気を吸収し、昼間は太陽熱によって約４５０ｇの水蒸気を放出した、そして、放出した約４５０ｇの水蒸気のうち、約３３０ｇが液滴化し、残りは大気に放出された。
【０２７６】
（他の実施形態）
以上、本発明の実施形態について説明したが、本発明の範囲は、上記実施形態のみに限定されるものではなく、本発明の各発明特定事項の機能を実現し得る種々の形態を包含するものである。
【０２７７】
例えば、自動でフィルム１６を移動させてケーシング１０を開閉するための動力源としては、ワックス（酸化ワックスエステル材料）の体積変化を利用してもよい。すなわち、ワックスを容器に入れ、容器に上方から蓋をする。そして、この容器を太陽の当たる場所に設置する。このようにすることで、昼間はワックスが暖められて融点を超えて液化し、その結果、ワックスの体積が増大し、蓋が押し上げられる。また、夜間はワックスが冷やされて融点を下回り固化し、その結果、ワックスの体積が減少し、蓋が下降する。
【０２７８】
そしてこの蓋には、蓋が上昇するとフィルム１６を押し上げてケーシング１０を閉じ、蓋が下降するとフィルム１６を押し下げてケーシング１０を閉じるような機構を接続する。このようにすることで、ケーシング１０は、自動的に昼間は開き、夜間は閉じることになる。
【０２７９】
また例えば、自動でフィルム１６を移動させてケーシング１０を開閉するための動力源としては、閾値温度以上と以下とで形状を変える形状記憶合金を利用してもよい。すなわち、この形状記憶合金を太陽の当たる場所に設置し、また、この形状記憶合金が閾値温度以上の温度時の形状となったときにフィルム１６を押し上げてケーシング１０を閉じ、形状記憶合金が閾値温度未満の温度時の形状となったときにフィルム１６を押し下げてケーシング１０を閉じるような機構を、この形状記憶合金に接続する。このようにすることで、ケーシング１０は、自動的に昼間は開き、夜間は閉じることになる。
【０２８０】
また例えば、フィルム１６のうち、日向面にあるフィルムの外側（ケーシング１０の外側）の表面には、太陽光を通す周知のフレキシブル太陽電池を取り付け、この太陽電池の発電する電力を利用して、ケーシング１０の開閉を行うようになっていてもよい。
【０２８１】
また、第１３実施形態においては、断熱材１１２の太陽側の表面に太陽電池を取り付け、この太陽電池の発電する電力を利用して、ケーシング１０の開閉を行うようになっていてもよい。断熱材１１２に取り付ける太陽電池としては、単結晶Ｓｉ・多結晶Ｓｉ、微結晶Ｓｉ、アモルファスＳｉ、ＧａＡｓ、光増感太陽電池等を用いてもよい。
【０２８２】
また、例えば、第１〜第１３実施形態において、捕集する水の重力を利用して、ケーシング１０の開閉を行うようになっていてもよい。具体的には、第１３実施形態（図５０参照）において、パイプ５３に代えて、冷却部１１３の下側の開口部に、一時水捕集用タンクを設置するようになっていてもよい。この一時水捕集用タンクは、冷却部１１３の下側の開口部とタンク５１との間を上下に移動可能となっている。
【０２８３】
より具体的には、一時水捕集用タンクは、自らの内部に水が入っていない場合には、冷却部１１３の下側開口部のすぐ下に位置し、自らの内部に水が基準量以上入っている場合には、タンク５１に接触するようになっている。このような動きを実現するための機構としては、例えば、滑車と、滑車に掛かると共に滑車に対して滑らないワイヤと、ワイヤの一端に固定された重りを用意し、そのワイヤの他端に一時水捕集用タンクを固定する方法を採用してもよい。
【０２８４】
ただし、一時水捕集用タンクは、ロック機構がロック状態になっている場合には、上下への移動が禁止され、ロック機構がアンロック状態になっている場合には、上下への移動が許可されるようになっている。このようなロック機構としては、例えば、滑車の回転のロック、アンロックを行う周知の機構を用いてもよい。なお、このロック機構は、ケーシング１０を解放するタイミングおよびケーシング１０を閉じるタイミングを判定するマイクロコンピュータによって制御される。
【０２８５】
また、一時水捕集用タンクは、タンク５１に接触したときに、自己の内部にある水をタンク５１に移すような周知の機構を有している。
【０２８６】
また、一時水捕集用タンクは、フィルム１６と連動するように、ロープ等でフィルム１６と繋がっている。これによって、一時水捕集用タンクが上方に移動するときにはフィルム１６が上昇してケーシング１０を閉じ、一時水捕集用タンクが下方に移動するときにはフィルム１６が下降してケーシング１０を解放するようになっている。
【０２８７】
このような構成において、まず、夜の間は一時水捕集用タンクは空の状態でタンク５１に接触しており、ロック機構はロック状態にあるとする。朝になって、マイクロコンピュータは、ケーシング１０を閉じるタイミングであると判定すると、ロック機構をアンロック状態にする。すると、空の一時水捕集用タンクが上昇し、それに伴ってフィルム１６も上昇し、ケーシング１０が閉じられる。その時点でマイクロコンピュータは、ロック機構をロック状態にする。
【０２８８】
昼の間、冷却部１１３において液滴が生成され、その液滴が一時水捕集用タンクに入り、ケーシング１０を解放するタイミングまでに、入った水の量が基準量以上となる。そして、ケーシング１０を解放するタイミングになると、マイクロコンピュータは、ロック機構をアンロック状態にする。すると、水が基準量以上入った一時水捕集用タンクが下に下がり、タンク５１に接触する。それに伴い、フィルム１６が引き下げられ、ケーシング１０が解放される。その時点でマイクロコンピュータは、ロック機構をロック状態にする。一時水捕集用タンクがタンク５１に接触すると、一時水捕集用タンクの水がタンク５１に流れ込み、再度一時水捕集用タンクが空になる。
【０２８９】
このようなサイクルを繰り返すことで、フィルム１６の上げ下げに電力を消費することがなくなる。
【０２９０】
また例えば、導水部材２４から落ちる雨水を貯蔵するタンクと、フィルム１４、１６から流れ落ちる水（すなわち、ケーシング１０内で蒸発して液滴化した水）を貯蔵するタンクとを、分離してもよい。
【０２９１】
また、上記の実施形態においては、ケーシング１０の外形としては、四角柱または五角柱が例示されているが、六角柱、七角柱、八角柱等であってもよい。
【０２９２】
また例えば、１つのケーシング１０の内部に、図２３に示したようなシート２２を複数段に重ねて設置してもよい。
【０２９３】
また例えば、水滴捕集装置１のケーシング１０を複数個南北方向に並べて設置してもよい。ただしこのとき、できる限り１つのケーシング１０が他のケーシング１０に当たるべき太陽光を遮ることのないように配置することが好ましい。例えば、図５１に示すように、冬至の南中高度をεとし、ケーシング１０の高さをｈとすると、ケーシング１０の南北方向の設置間隔ｘは、ｈ／ｔａｎεの２倍より大きいことが好ましい
また、第１３実施形態においては、フィルム１６によるケーシング１０の開閉機構として、シャッター機構を用いているが、シャッター機構に代えて、カーテン機構を用いてもよい。カーテン機構においては、フィルム１６は、ケーシング１０の解放時に軸３０の回りに巻かれて収納されるのではなく、ケーシング１０の解放時にアコーディオンのように折り畳まれるようになる。
【０２９４】
また、上記各実施形態では、フィルム１４〜１６、９５は、二重フィルムであったが、これらは一重のフィルムであってもよい。し、三重以上のフィルムであってもよい。三重以上のフィルムである場合も、断熱効果を有する。また、一重のフィルムを用いる場合は、フィルムの厚さが５０〜２００μｍ以上あると好ましい。
【０２９５】
また、上記各実施形態では、吸水部材２３としてメソポーラスシリカを用いたが、これに限らず、吸水部材２３として以下の（１）〜（１５）に示す材料を用いることができる。
【０２９６】
（１）セピオライト
吸水部材２３として、セピオライトを用いることができる。セピオライトの化学式は、Ｍｇ8Ｓｉ12Ｏ30（ＯＨ2）4（ＯＨ）4・６〜８Ｈ2Ｏであり、含水マグネシウム珪酸塩を主成分とする粘土鉱物である。セピオライトの一般的な組成は、珪酸（ＳｉＯ2）５２．５％、酸化マグネシウム（ＭｇＯ）２２．８％、酸化アルミニウム（Ａｌ2Ｏ3）１．７％、酸化鉄（Ｆｅ2Ｏ3）０．８％、酸化カルシウム（ＣａＯ）０．８％、酸化カリウム（Ｋ2Ｏ）０．４％、酸化ナトリウム（Ｎａ2Ｏ）０．３％、Ｈ2Ｏ-（１１０℃以下で飛散）１１．０％、Ｈ2Ｏ+（１１０℃以上で飛散）１０．５％で示される。
【０２９７】
セピオライト１１０の構造を図５２に示す。図５２に示すように、セピオライト１１０は結晶格子の内部に多数の細孔１１１を有する繊維状に形成され、繊維軸方向に延びる細孔１１１内で水分を吸収することができる。また、セピオライトは、各繊維間の空隙に形成される細孔においても水分を吸収することができる。結晶格子内部の細孔１１１の径は１０Å程度であり、主に水蒸気を吸収することができ、各繊維間の空隙に形成される細孔の開口径は２００Å程度であり、主に水滴を吸収することができる。
【０２９８】
図５３は、セピオライトの水分の吸収特性を示しており、比較のために上記第１実施形態で説明したメソポーラスシリカとシリカゲルを記載している。図５３に示すように、セピオライトは、相対湿度が６０％以上で水蒸気を多く吸収する点で上記第１実施形態のメソーポーラスシリカと異なっており、特に相対湿度が８０％以上になると水分吸収量が急激に増加する特性を有している。このため、高湿度環境下で好適に用いることができる。セピオライトの結晶構造中に吸収された水蒸気（ガス状）は、結晶構造中に水滴として凝集捕集され、相対湿度１００％でも大きな水分吸収量を示す。この場合の水分の捕集は、水蒸気ではなく水滴の形状で、粒子間の空隙や繊維間の空隙にて捕集することができる。
【０２９９】
セピオライトの水蒸気の吸収特性は、産地によって若干異なるが、比較的大きな吸収特性を示す。セピオライトの産地は、スペイン、トルコ、アメリカ、中国などであり、日本でも少量が埋蔵されている。
【０３００】
トルコ産のセピオライトは、珪酸（ＳｉＯ2）５７．０％、酸化マグネシウム（ＭｇＯ）２３．０％、酸化アルミニウム（Ａｌ2Ｏ3）１．０％、酸化鉄（Ｆｅ2Ｏ3）０．５％、酸化カルシウム（ＣａＯ）３．０％、酸化カリウム（Ｋ2Ｏ）０．３％、酸化ナトリウム（Ｎａ2Ｏ）０．２％、焼成残分１４．５％の合計９９．５％で、その他に水１５．５％（外割合）を含有している。嵩比重は、０．３５ｇ／ｃｃ、比表面積は３２０ｍ2／ｇ（ＢＥＴ法による計測）、細孔分布は０．５ｎｍ〜数μｍであり、数ｎｍの細孔径が多数を占める。トルコ産セピオライトでは、１ｇあたり０．３〜約１ｇの水蒸気（ガス状）を吸収でき、約０．５〜５ｇの水滴を吸収することができる。
【０３０１】
アメリカ産のセピオライトは、珪酸（ＳｉＯ2）５０．８％、酸化マグネシウム（ＭｇＯ）１６．８％、酸化アルミニウム（Ａｌ2Ｏ3）１．８％、酸化鉄（Ｆｅ2Ｏ3）１．８％、酸化カルシウム（ＣａＯ）１０．０％、酸化カリウム（Ｋ2Ｏ）０．４％、酸化ナトリウム（Ｎａ2Ｏ）０．４％、焼成残分１７．５％、以上の合計９９．５％で、その他に水分９．４％（外割合）を含有している。また、嵩比重０．７５ｇ／ｃｃ、比表面積１８０ｍ2／ｇ（ＢＥＴ法による計測）、細孔分布０．５ｎｍ〜数μｍであり、数ｎｍの細孔径が多数を占める。アメリカ産セピオライトでは、１ｇあたり０．２〜約０．８ｇの水蒸気を吸収でき、約０．４〜３ｇの水滴を吸収できる。
【０３０２】
中国産のセピオライトは、珪酸（ＳｉＯ2）４９．０％、酸化マグネシウム（ＭｇＯ）１６．７％、酸化アルミニウム（Ａｌ2Ｏ3）０．７％、酸化鉄（Ｆｅ2Ｏ3）１．０％、酸化カルシウム（ＣａＯ）１３．２％、酸化カリウム（Ｋ2Ｏ）０．１％、酸化ナトリウム（Ｎａ2Ｏ）０．０％、焼成残分１９．０％の合計９９．７％で、その他に水分５．５％（外割合）を含有している。また、嵩比重０．２０ｇ／ｃｃ、比表面積１００ｍ2／ｇ（ＢＥＴ法による計測）、細孔分布０．５ｎｍ〜数μｍであり、数ｎｍの細孔径が多数を占める。中国産セピオライトでは、１ｇあたり０．１５〜約０．６ｇの水蒸気を吸収でき、約０．３〜２ｇ水滴を吸収できる。
【０３０３】
ここで、セピオライトで吸収した水分の放出について説明する。セピオライトに吸収された水蒸気は、主に結晶格子内の表面で凝集された水滴として保持されているのが一般的である。セピオライトに吸収された水蒸気（水滴）を放出するためには、水滴を気化させるエネルギーが必要であり、水分１ｇあたり約５３０ｃａｌの熱量を与えると水蒸気として放出される。また、セピオライトに吸収された水滴は、主に繊維間や粒子間で保持されており、水分１ｇあたり約５３０ｃａｌより低い熱量（水１ｇあたり数〜５０ｃａｌ程度）で水滴を放出することができる。なお、吸水部材２３の周囲の湿度低下によっても水分が放出される。
【０３０４】
セピオライトに吸収された水蒸気（水滴）を放出するためのエネルギーは、太陽エネルギーから得ることができる。セピオライトに吸収された水分は、太陽エネルギー（熱エネルギー）に比例して放出されるので、太陽エネルギーが多い場合には、多量の水蒸気（水滴）を放出することができる。例えば赤道付近で太陽光が強い場合は、多量の水蒸気を放出でき、多量の水滴を作ることができる。
【０３０５】
（２）アタパルジャイト
吸水部材２３として、アタパルジャイト（別名：パリゴスカイト）を用いることができる。アタパルジャイトの化学式は、Ｍｇ8Ａｌ2Ｓｉ8Ｏ20（ＯＨ2）・８Ｈ2Ｏで示される。アタパルジャイトの一般的な組成は、珪酸（ＳｉＯ2）５３．６４％、酸化チタン（ＴｉＯ2）０．６０％、酸化マグネシウム（ＭｇＯ）９．０５％、酸化アルミニウム（Ａｌ2Ｏ3）８．７６％、酸化鉄（Ｆｅ2Ｏ3）３．３６％、酸化カルシウム（ＣａＯ）２．０２％、酸化カリウム（Ｋ2Ｏ）０．７５％、酸化ナトリウム（Ｎａ2Ｏ）０．８３％、酸化鉄（ＦｅＯ）０．２３％、燐酸（Ｐ2Ｏ5）０．７９％、Ｈ2Ｏ-（１１０℃以下で飛散）９．１２％、Ｈ2Ｏ+（１１０℃以上で飛散）１０．８９％で示される。
【０３０６】
アタパルジャイトは、上述のセピオライトと同様、高湿度環境下における水分吸収性に優れている。アタパルジャイトの水分吸収領域は、相対湿度約６０％以上で水分吸収量が増大し、約８０％以上で更に大きな水分吸収量を示す。湿度１００％でも大きな水分吸収量を示す。アタパルジャイトでは、１ｇあたり０．２５〜約１ｇの水蒸気を吸収でき、１ｇあたり約０．５〜５ｇの水滴をできる。
【０３０７】
（３）イモゴライト
吸水部材２３として、イモゴライトを用いることができる。イモゴライトの化学式は、ＳｉＯ2・Ａｌ2Ｏ３・２Ｈ2Ｏであり、ナノチューブ状アルミニウムケイ酸塩として構成されている。イモゴライトは鉱物ではなく、以下のように合成により得られる。オルト珪酸ナトリウム（Ｎａ4ＳｉＯ4）と塩化アルミニウム６水和物を混合し、ＮａＯＨ水溶液を添加し、ｐＨ調整した後、塩酸を添加して、約１００℃で約２日間加熱することで、イモゴライトを合成することができる。
【０３０８】
イモゴライトは、上述のセピオライトと同様、高湿度環境下における水分吸収性に優れている。イモゴライトは、相対湿度約９０％以上で水蒸気を吸収し、相対湿度約９０％以下で水蒸気を放出する能力を有し、水蒸気の吸収・放出を安定して行うことができる。イモゴライトは、多量の水蒸気を吸収でき、重量あたり２〜２．５倍の吸水量が得られる。合成後常温乾燥した結晶性のイモゴライトは、相対湿度約４０％以上で吸湿性能を示し、１ｇあたり最大約０．８ｇの吸湿性能を示す。合成後凍結乾燥した結晶性のイモゴライトは、相対湿度約８０％以上で大きな吸湿性能を示し、１ｇあたり最大約１ｇの吸湿性能を示す。
【０３０９】
（４）鹿沼土
吸水部材２３として、鹿沼土を用いることができる。鹿沼土は、農業や園芸に使われる栃木県鹿沼市産出の軽石の総称である。鹿沼土の水分吸収・放出特性は、上述のセピオライトと同様である。鹿沼土は、相対湿度約６０％以上で水分吸収量が増大し、約８０％以上で更に大きな水分吸収量を示し、相対湿度１００％でも大きな水分吸収量を示す。鹿沼土は、１ｇあたり約０．１〜０．２ｇの水蒸気を吸収でき、１ｇあたり約０．３〜０．６ｇの水滴を吸収できる。
【０３１０】
（５）モンモリロナイト
吸水部材２３として、モンモリロナイトを用いることができる。ベントナイトの主成分であるモンモリロナイトは、層状ケイ酸塩鉱物の１種であるスメクタイトに分類される粘土鉱物である。結晶構造はケイ酸四面体層とアルミナ八面体層とケイ酸四面体層の３層が積み重なって構成されている。モンモリロナイトの水分吸収・放出特性は、上述のセピオライトと同様である。モンモリロナイトは、相対湿度約６０％以上で水分吸収量が増大し、相対湿度約８０％以上で更に大きな水分吸収量を示し、相対湿度１００％でも大きな水分吸収量を示す。モンモリロナイトは、１ｇあたり約０．１〜０．２ｇの水蒸気を吸収でき、１ｇあたり約０．３〜０．５ｇの水滴を吸収できる。
【０３１１】
（６）バーミキュライト
吸水部材２３として、バーミキュライトを用いることができる。バーミキュライトの化学式は、（Ｍｇ，Ｆｅ，Ａｌ）3（Ａｌ，Ｓｉ）4Ｏ10（ＯＨ）2・４Ｈ2Ｏであり、原石を粉砕し、加熱炉で急速に加熱して膨張させることで得られる。バーミキュライトは、相対湿度約６０％以上で水分吸収量が増大し、約８０％以上で更に大きな水分吸収量を示し、湿度１００％でも大きな水分吸収量を示す。バーミキュライトは、１ｇあたり０．０５〜約０．１ｇの水蒸気を吸収でき、１ｇあたり約０．１〜０．３ｇの水滴を吸収できる。
【０３１２】
（７）十和田湖軽石
吸水部材２３として、十和田湖軽石を用いることができる。十和田湖軽石は、十和田湖で産出する軽石であり、組成は、珪酸（ＳｉＯ２）７０％、酸化アルミニウム（Ａｌ2Ｏ2）１５．１％、酸化カルシウム（ＣａＯ）３．７％、酸化ナトリウム（Ｎａ2Ｏ）３．０％、酸化カリウム（Ｋ2Ｏ）２．１％である。十和田湖軽石の水分吸収・放出特性は、上述のセピオライトと同様である。十和田湖軽石は、相対湿度約６０％以上で水分吸収量が増大し、相対湿度約８０％以上で更に大きな水分吸収量を示し、相対湿度１００％でも大きな水分吸収量を示す。十和田湖軽石は、１ｇあたり約０．２〜０．７ｇの水蒸気を吸収でき、１ｇあたり約０．５〜１ｇの水滴を吸収できる。
【０３１３】
（８）ゼオライト
吸水部材２３として、ゼオライトを用いることができる。ゼオライトは、結晶中に微細孔を持つアルミノ珪酸塩の総称である。ゼオライトの水分吸収・放出特性は、上述のセピオライトと同様である。ゼオライトは、相対湿度約５〜１０％以上で水分吸収量が増大し、相対湿度約８０％以上で更に大きな水分吸収量を示し、相対湿度１００％でも大きな吸収量を示す。ゼオライトは、１ｇあたり約０．３〜０．５ｇの水蒸気を吸収でき、１ｇあたり約０．４〜１ｇの水滴を吸収できる。
【０３１４】
（９）アロフェン
吸水部材２３として、アロフェンを用いることができる。アロフェンは、中空球状のアルミニウム珪酸塩として構成されており、ＳｉＯ2／Ａｌ2Ｏ3が１〜２であり、Ｓｉ／Ａｌが０．５〜１である。アロフェンの水分吸収・放出特性は、上述のセピオライトと同様である。アロフェンは、相対湿度約６０％以上で水分吸収量が増加し、やや大きな吸収量を示す。アロフェンは、１ｇあたり約０．２〜０．３ｇの水蒸気を吸収することができる。
【０３１５】
（１０）有機系吸湿材料
吸水部材２３として、特開２００１−２１９０６３号公報で開示された有機系吸湿材料を用いることができる。この有機系吸湿剤は、ポリオール中で重合形成された吸水樹脂や吸水ゲルが分散された吸水樹脂分散体から構成される。有機系吸湿剤は、セラミックモノリスや不織布の繊維に付着させて用いることができ、あるいは他のポリオールとポリイソシアネートとを反応させて、ポリウレタン樹脂からなる形状にして用いることもできる。この有機系吸湿材料は、相対湿度が約４０〜１００％の領域において、１ｇあたり約１ｇの水蒸気を吸収することができる。
【０３１６】
また、吸水部材２３として、特開平９−５９８７２で開示された吸湿性架橋アクリル系繊維構造体を用いることができる。この有機系吸湿材料は相対湿度が約４０〜１００％の領域において、１ｇあたり約１〜２ｇの水蒸気を吸収・放出することができる。
【０３１７】
また、吸水部材２３として、特開平７−２２４１１９号公報で開示されているＮ―イソプロピルアクリルアミド、アクリル酸ナトリウムおよびダイアセトンアクリル酸アミドを重合させたものを用いることができる。この材料は吸水能力が大きく、約１００倍の水を吸収して体積膨張する。
【０３１８】
また、吸水部材２３として、特開平９−５９８７２号公報で開示された吸湿性架橋アクリル系繊維構造体の材料を使用することができる。この有機系吸湿材料は、相対湿度が約４０〜１００％の領域において、１ｇあたり約１〜２ｇの水蒸気を吸収・放出することができる。
【０３１９】
図５４は、Ｎ―イソプロピルアクリルアミド、アクリル酸ナトリウムおよびダイアセトンアクリル酸アミドを重合させたものの水分の吸収特性、および、上記吸湿性架橋アクリル系繊維構造体の材料の水分の吸収特性を示しており、比較のために上記第１実施形態で説明したメソポーラスシリカとシリカゲルを記載している。
【０３２０】
さらに、吸水部材２３として、特開平１０−１９１７７７号公報で開示されているノニオン性の水溶性エチレン性不飽和単量体とアニオン性の水溶性エチレン性不飽和単量体とを架橋したものを用いることができる。
【０３２１】
（１１）多孔質粉体
吸水部材２３として、特開２００６−２７２２９５号公報に開示された多孔質粉体を用いることができる。この多孔質粉体は、汚泥焼却灰と酸水溶液とを反応させた後、中和処理することで得られる。この材料では、１ｇあたり約０．５ｇの水蒸気を吸収することができる。
【０３２２】
（１２）炭酸固化体
吸水部材２３として、炭酸固化体を用いることができる。炭酸固化体として、特開２００６−２７９９９号公報に開示された、消石灰１０〜５０重量％、無機系廃棄物粉末３０〜７０重量％と、天然に産する高比表面積を有する無機粉末（鹿沼土、天然ゼオライト、珪藻土の焼成品、珪藻土の乾燥品など）、あるいは水酸化アルミニウムを主成分とする廃棄物を１００〜５００℃で仮焼した高比表面積を有する無機粉末１０〜３０重量％との、混合粉末からなる含水生形体を炭酸固化した材料を用いることができる。この炭酸固化体では、１ｇあたり約０．１ｇ〜０．４ｇの水蒸気を吸収することができる。
【０３２３】
また、炭酸固化体として、特開２００６−２７９９８号公報に開示された、消石灰１０〜５０重量％と、粘土瓦やレンガなどの安価な原料である無機系廃棄物粉末３０〜７０重量％とを混合粉末とした含水生形体を炭酸固化した材料も用いることでもできる。この炭酸固化体では、１ｇあたり約０．１ｇ〜０．３ｇの水蒸気を吸収することができる。
【０３２４】
（１３）水酸化アルミニウム系材料
吸水部材２３として、水酸化アルミニウム系材料を用いることができる。水酸化アルミニウム系材料は、特開平１１−１１９３９号公報に開示された水酸化アルミニウムの粉末を減圧化（０．９気圧以下）で３００〜８００℃で熱処理する方法で得ることができる。この方法で得られた水酸化アルミニウム系材料では、１ｇあたり約０．１ｇ〜０．３ｇの水蒸気を吸収することができる。
【０３２５】
また、特開２００４−２６１７０２号公報に記載された水酸化アルミニウムの熱処理によって多孔質化した水酸化アルミニウム系材料も用いることができる。この多孔質化した水酸化アルミニウム系材料は、相対湿度が３０〜４０％の領域で用いることができ、１ｇあたり約０．１ｇ〜０．２ｇの水蒸気を吸収することができる。
【０３２６】
（１４）アロフェンまたはイモゴライト含有組成物を利用した調湿材料
吸水部材２３として、特開２００４−１１５２７８号公報に開示されたアロフェンまたはイモゴライト含有組成物を利用した調湿材料を用いることができる。この調湿材料は、アロフェンまたはイモゴライト含有組成物と水酸化カルシウム系の硬化剤を加えて成形した後、ニ酸化炭素含有ガスで炭化処理することで得ることできる。この調湿材料は、１ｇあたり約０．１〜０．４ｇの水蒸気を吸収することができる。
【０３２７】
（１５）多孔質材料の組成物からなる調湿材料
吸水部材２３として、特開平９−２９４９３１号公報に開示された多孔質材料の組成物からなる調湿材料（例えばヘキサデシルトリメチルアンモニウム系材料）を用いることができる。この調湿材料は、界面活性剤あるいは長鎖アルキル基を有する有機物の周囲を二酸化珪素あるいは繊維金属酸化物で包囲した後に重合させた後、焼成または抽出して有機物を除去することにより得られる。この調湿材料は、細孔直径の平均値が２〜６ｎｍで４０〜７０％の相対湿度の範囲で水蒸気を吸収・放出する機能を有し、１ｇあたり約０．１〜０．４ｇの水蒸気を吸収することができる。
【図面の簡単な説明】
【０３２８】
【図１】本発明の第１実施形態に係る水滴捕集装置１の模式図である。
【図２】開いた状態のケーシング１０の斜視図である。
【図３】閉じた状態のケーシング１０の斜視図である。
【図４】吸湿部２０の斜視図である。
【図５】吸湿部２０の裏面図である。
【図６】吸湿部２０内のケーシング１０の配置を示す斜視図である。
【図７】吸水部材１２を構成するメソポーラスシリカの分子構造を示した拡大図である。
【図８】相対湿度を変化させた場合におけるメソポーラスシリカの水分吸収・放出特性を示す図である。
【図９】温度と相対湿度とメソポーラスシリカの水分吸収・放出特性の関係を示す図である。
【図１０】吸湿部２０の設置角度θ＋αおよびシート２２の設置角度βの例を示す図である。
【図１１】複数の層から成る積層構造を有するシート２２を示す断面図である。
【図１２】植毛処理を施したシート２２を示す断面図である。
【図１３】金属板（または金属泊）６４を内部に挟むシート２２を示す断面図である。
【図１４】面対称なヒダ付きのシート２２を示す断面図である。
【図１５】面対称なヒダ付きのシート２２を作成する方法を示す断面図である。
【図１６】非面対称なヒダ付きのシート２２を示す断面図である。
【図１７】非面対称なヒダ付きのシート２２を作成する方法を示す断面図である。
【図１８】非面対称なヒダ付きの層を複数層備えたシート２２を示す断面図である。
【図１９】シート２２のリング部分２２ｄ、２２ｅに、ワイヤ６３ａ、６３ｂを通した場合を示す断面図である。
【図２０】金属板（または箔）６４の端部をリング部２２ｄ、２２ｅと同心のリング状にし、そのリング内にワイヤ６３ａ、６３ｂを通した場合を示す断面図である。
【図２１】複数のシート２２が南北方向に並ぶ場合を示す図である。
【図２２】複数のシート２２が東西方向に並ぶ場合を示す図である。
【図２３】本発明の第２実施形態におけるシート２２の構成および配置を示す図である。
【図２４】本発明の第２実施形態におけるシート２２の構成および配置を示す図である。
【図２５】本発明の第３実施形態におけるシート２２の構成および配置を示す図である。
【図２６】本発明の第４実施形態における吸湿部２０の一部拡大断面図である。
【図２７】本発明の第５実施形態におけるフィルム１６の開閉機構７０が閉じた状態を示す斜視図である。
【図２８】開閉機構７０が閉じた状態の断面図である。
【図２９】開閉機構７０が開いた状態の断面図である。
【図３０】本発明の第６実施形態におけるケーシング１０の外形を示す斜視図である。
【図３１】フィルム１６の開閉機構８０が開いた場合を示す斜視図である。
【図３２】フィルム１６の開閉機構８０が閉じた場合を示す斜視図である。
【図３３】ケーシング１０の外形を成す五角柱の底面以外の側面のみを示す斜視図である。
【図３４】本発明の第７実施形態のケーシング１０における枠部材１１の外側の構造の斜視図である。
【図３５】ケーシング１０における枠部材１２の外側の構造の斜視図である。
【図３６】ケーシング１０の外形の側面図である。
【図３７】本発明の第８実施形態における二重フィルム１６の開閉機構８０を示す斜視図である。
【図３８】パイプ９１とパイプ９２の間にある面における開閉機構８０の構成を示す図である。
【図３９】ケーシング１０が閉じている状態において、図３８のＡ−Ａ断面でケーシング１０および吸湿部２０を切ったときの断面図である。
【図４０】ケーシング１０が開いている状態において、図３８のＡ−Ａ断面でケーシング１０および吸湿部２０を切ったときの断面図である。
【図４１】本発明の第９実施形態におけるケーシング１０および吸湿部２０の断面図であって、フィルム１６を枠部材１１の方向に移動している途中の状態を示す図である。
【図４２】フィルム１６によるケーシング１０の密閉が完了した状態におけるケーシング１０および吸湿部２０の断面図である。
【図４３】本発明の第１０実施形態における、フィルム１６によるケーシング１０の密閉が完了した状態におけるケーシング１０および吸湿部２０の断面図である。
【図４４】本発明の第１１実施形態における、フィルム１６によるケーシング１０の密閉が完了した状態におけるケーシング１０および吸湿部２０の断面図である。
【図４５】本発明の第１２実施形態に係る開いたケーシング１０の構成を示す斜視図である。
【図４６】レール３１、３２がレール溝に嵌っている部分を、レール３１、レール３２に垂直な面で切った断面図である。
【図４７】フィルム１６が枠部材１１、枠部材１２に巻き付いていく過程を示す斜視図である。
【図４８】フィルム１６が枠部材１１、枠部材１２に巻き付いていく過程を示す斜視図である。
【図４９】フィルム１６が枠部材１１、枠部材１２に巻き付いていく過程を示す斜視図である。
【図５０】本発明の第１３実施形態に係る水滴捕集装置１の模式図である。
【図５１】複数のケーシング１０を南北に並べた状態を示す図である。
【図５２】吸水部材２３として用いるセピオライトの分子構造を示した拡大図である。
【図５３】相対湿度を変化させた場合におけるセピオライトの水分吸収・放出特性を示す図である。
【図５４】相対湿度を変化させた場合におけるＮ―イソプロピルアクリルアミド、アクリル酸ナトリウムおよびダイアセトンアクリル酸アミドを重合させたものの水分の吸収・放出特性、および、吸湿性架橋アクリル系繊維構造体の材料の水分の吸収・放出特性を示す図である。
【符号の説明】
【０３２９】
１                                          水滴捕集装置
１０                                        ケーシング
１４、１５、１６、９５                      二重フィルム
２０                                        吸湿部
２２                                        シート
２３                                        吸水部材
２４                                        導水部材
３１、３２                                  レール
３４、３５、９８ａ、９８ｂ、９９ａ、９９ｂ  ロープ
５０                                        貯蔵槽
５６、５８                                  磁石
５７                                        収縮性ゴム
７０、８０                                  開閉機構
８１ａ、８１ｂ、８４                        パイプ
８２、８３                                  鎖
１１３                                      冷却部
１１４                                      放熱部
１１５                                      ヒートパイプ
１１６、１１７                              フィン
【図１】
2010125345.tif 000003
【図２】
2010125345.tif 000004
【図３】
2010125345.tif 000005
【図４】
2010125345.tif 000006
【図５】
2010125345.tif 000007
【図６】
2010125345.tif 000008
【図７】
2010125345.tif 000009
【図８】
2010125345.tif 000010
【図９】
2010125345.tif 000011
【図１０】
2010125345.tif 000012
【図１１】
2010125345.tif 000013
【図１２】
2010125345.tif 000014
【図１３】
2010125345.tif 000015
【図１４】
2010125345.tif 000016
【図１５】
2010125345.tif 000017
【図１６】
2010125345.tif 000018
【図１７】
2010125345.tif 000019
【図１８】
2010125345.tif 000020
【図１９】
2010125345.tif 000021
【図２０】
2010125345.tif 000022
【図２１】
2010125345.tif 000023
【図２２】
2010125345.tif 000024
【図２３】
2010125345.tif 000025
【図２４】
2010125345.tif 000026
【図２５】
2010125345.tif 000027
【図２６】
2010125345.tif 000028
【図２７】
2010125345.tif 000029
【図２８】
2010125345.tif 000030
【図２９】
2010125345.tif 000031
【図３０】
2010125345.tif 000032
【図３１】
2010125345.tif 000033
【図３２】
2010125345.tif 000034
【図３３】
2010125345.tif 000035
【図３４】
2010125345.tif 000036
【図３５】
2010125345.tif 000037
【図３６】
2010125345.tif 000038
【図３７】
2010125345.tif 000039
【図３８】
2010125345.tif 000040
【図３９】
2010125345.tif 000041
【図４０】
2010125345.tif 000042
【図４１】
2010125345.tif 000043
【図４２】
2010125345.tif 000044
【図４３】
2010125345.tif 000045
【図４４】
2010125345.tif 000046
【図４５】
2010125345.tif 000047
【図４６】
2010125345.tif 000048
【図４７】
2010125345.tif 000049
【図４８】
2010125345.tif 000050
【図４９】
2010125345.tif 000051
【図５０】
2010125345.tif 000052
【図５１】
2010125345.tif 000053
【図５２】
2010125345.tif 000054
【図５３】
2010125345.tif 000055
【図５４】
2010125345.tif 000056